(57)【要約】【課題】本開示の実施形態は、一体型変圧器正常性モニタリングアーキテクチャおよび関連処理に関する。【解決手段】一実施形態において、本方法は、変圧器の保護データを少なくとも１つの保護リレー装置から受信するステップと、変圧器の正常性モニタリングデータを少なくとも１つのモニタリングおよび診断（Ｍ＆Ｄ）装置から受信するステップと、受信した保護データおよび受信した正常性モニタリングデータを共通タイムリファレンスを使用して解析するステップと、受信した保護データおよび受信した正常性モニタリングデータの解析に少なくとも部分的に基づいて変圧器の故障をモニタリング、診断、解析、または予測するステップと、変圧器の故障のモニタリング、診断、解析、または予測に応答して変圧器の動作を修正するための命令を生成するステップとを提供することができる。【選択図】図１
2016226265.tif 000002
【特許請求の範囲】
【請求項１】
少なくとも１つの保護リレー装置（１２２）と
前記少なくとも１つの保護リレー装置（１２２）に通信可能に結合される少なくとも１つのモニタリングおよび診断（Ｍ＆Ｄ）装置（１２４）と、
前記少なくとも１つの保護リレー装置（１２２）および前記少なくとも１つのＭ＆Ｄ装置（１２４）に通信可能に結合される少なくとも１つのプロセッサ（５０４）と
を備え、
前記少なくとも１つの保護リレー装置（１２２）から変圧器（１１０）の保護データを受信し、
前記少なくとも１つのＭ＆Ｄ装置（１２４）から前記変圧器（１１０）の正常性モニタリングデータを受信し、
共通タイムリファレンスを使用して前記受信した保護データおよび前記受信した正常性モニタリングデータを解析し、
前記受信した保護データおよび前記受信した正常性モニタリングデータの解析に少なくとも部分的に基づいて前記変圧器（１１０）の故障をモニタリング、診断、解析、または予測し、
前記変圧器（１１０）の故障のモニタリング、診断、解析、または予測に応答して前記変圧器（１１０）の動作を修正するための命令を生成するよう構成される、
システム（１２０）。
【請求項２】
前記少なくとも１つのプロセッサ（５０４）は、
データベースから前記変圧器（１１０）の履歴データを検索し、
前記受信した保護データの少なくとも一部および前記受信した正常性モニタリングデータの少なくとも一部を前記履歴データと比較し、
前記受信した保護データの少なくとも一部および前記受信した正常性モニタリングデータの少なくとも一部の前記履歴データとの比較に少なくとも部分的に基づいて、前記受信した保護データの少なくとも一部および前記受信した正常性モニタリングデータの少なくとも一部と前記履歴データとの間の少なくとも部分的な一致を判断するようさらに構成され、前記受信した保護データの少なくとも一部および前記受信した正常性モニタリングデータの少なくとも一部は、前記変圧器（１１０）の以前の故障を示す履歴データの一部と一致し、
前記少なくとも１つのプロセッサ（５０４）はさらに、前記受信した保護データの少なくとも一部および前記受信した正常性モニタリングデータの少なくとも一部と前記履歴データとの間の一致の判断に基づいて、前記変圧器（１１０）の故障を識別するようさらに構成される
請求項１に記載のシステム（１２０）。
【請求項３】
前記少なくとも１つのプロセッサ（５０４）は、
前記保護データの受信時に前記受信した保護データにタイムスタンプ付けし、
正常性モニタリングデータの前記受信時に前記受信した正常性モニタリングデータにタイムスタンプ付けし、
前記受信した保護データの前記タイムスタンプと前記受信した正常性モニタリングデータの前記タイムスタンプとを比較し、
前記受信した保護データの前記タイムスタンプと前記受信した正常性モニタリングデータの前記タイムスタンプとの比較に基づいて前記保護データの受信と前記正常性モニタリングデータの受信との間の推定される現在のタイムラグを判断し、
前記保護データの受信および前記正常性モニタリングデータの受信との間の前記推定される現在のタイムラグと等しい時間のオフセットを前記受信した保護データおよび前記正常性モニタリングデータの少なくとも一方の前記タイムスタンプに割り当て、同じ時点でサンプリングされた保護データおよび正常性モニタリングデータに共通のタイムスタンプを割り当て、
前記少なくとも１つの保護リレー装置（１２２）および前記少なくとも１つのＭ＆Ｄ装置（１２４）を共通の全地球測位システム（ＧＰＳ）時間ソースに時間同期するようにさらに構成される
請求項１に記載のシステム（１２０）。
【請求項４】
前記少なくとも１つのプロセッサ（５０４）は、
前記受信した保護データおよび前記受信した正常性モニタリングデータの解析に基づいて前記変圧器（１１０）に対して次に要求されるメンテナンスを予測し、
カレンダに前記変圧器（１１０）に対して前記次に要求されるメンテナンスをスケジュールし、
前記予測された次に要求されるメンテナンスに基づいてメンテナンスのためのカレンダリクエストを生成し、
前記カレンダリクエストを第２のシステム（１３０）に送信するようさらに構成される
請求項１に記載のシステム（１２０）。
【請求項５】
前記少なくとも１つのプロセッサ（５０４）は、
前記受信した保護データおよび前記受信した正常性モニタリングデータの解析に少なくとも部分的に基づいて、前記変圧器（１１０）が規制基準の少なくとも１つのセットにもはや準拠していないことを判断するようさらに構成される、請求項１に記載のシステム（１２０）。
【請求項６】
前記プロセッサ（５０４）は、
前記変圧器（１１０）の故障の予測に応答して、前記変圧器（１１０）の動作を停止するようさらに構成される、請求項１に記載のシステム（１２０）。
【請求項７】
前記少なくとも１つのプロセッサ（５０４）は、
前記少なくとも１つの保護リレー装置（１２２）から変圧器（１１０）の保護データを受信し、
前記受信した保護データの解析に少なくとも部分的に基づいてイベントが前記変圧器（１１０）に発生したことを判断し、
前記少なくとも１つのＭ＆Ｄ装置（１２４）から前記変圧器（１１０）の正常性モニタリングデータを受信するようさらに構成され、
正常性モニタリングデータを受信することは、
正常性モニタリングデータの最終読み込みまたは利用可能な履歴正常性モニタリングデータの少なくとも一方を正常性モニタリングプリデータとして受信すること、
および前記イベントの検出後に収集された正常性モニタリングデータまたは利用可能な履歴正常性モニタリングデータの１つまたは複数のサンプルを正常性モニタリングポストデータとして受信することを備え、前記少なくとも１つのプロセッサ（５０４）はさらに、前記受信した保護データおよび前記受信した正常性モニタリングデータを解析し、欠陥レポート、通電レコード、学習済みデータレコード、履歴最大レコード、正常性レポート、またはフリートレポートの少なくとも１つを生成するようさらに構成される、請求項１に記載のシステム（１２０）。
【請求項８】
前記少なくとも１つのプロセッサ（５０４）は、
前記受信した保護データおよび前記受信した正常性モニタリングデータの解析に基づいて、前記変圧器（１１０）の少なくとも１つの構成要素の耐用年数を計算するようさらに構成される、請求項１に記載のシステム（１２０）。
【請求項９】
前記少なくとも１つのプロセッサ（５０４）は、
前記受信した保護データおよび前記受信した正常性モニタリングデータの解析に少なくとも部分的に基づいて、前記変圧器（１１０）の前記予測された故障の原因および種類を予測するようさらに構成される、請求項１に記載のシステム（１２０）。
【請求項１０】
前記少なくとも１つのプロセッサ（５０４）は、
前記少なくとも１つの保護リレー装置（１２２）からイベントデータを受信し、
前記少なくとも１つの保護リレー装置（１２２）から前記変圧器（１１０）の保護データを受信し、
前記少なくとも１つのＭ＆Ｄ装置（１２４）から前記変圧器（１１０）の正常性モニタリングデータを受信し、
前記受信した保護データ、前記受信した正常性モニタリングデータ、および前記受信したイベントデータに少なくとも部分的に基づいて、前記変圧器（１１０）と関連付けられたレコードを生成し、
前記レコードに少なくとも部分的に基づいて、ユーザインターフェース、レポート、または電子通信の少なくとも１つでレコードと関連付けられたデータの一部を出力するようさらに構成される
請求項１に記載のシステム（１２０）。
【請求項１１】
コンピューティング・デバイス・プロセッサによって、変圧器（１１０）の保護データを少なくとも１つの保護リレー装置（１２２）から受信するステップと、
前記コンピューティング・デバイス・プロセッサによって、前記変圧器（１１０）の正常性モニタリングデータを少なくとも１つのモニタリングおよび診断（Ｍ＆Ｄ）装置（１２４）から受信するステップと、
前記コンピューティング・デバイス・プロセッサによって、前記受信した保護データおよび前記受信した正常性モニタリングデータを、共通タイムリファレンスを使用して解析するステップと、
前記コンピューティング・デバイス・プロセッサによって、前記受信した保護データおよび前記受信した正常性モニタリングデータの解析に少なくとも部分的に基づいて、前記変圧器（１１０）の故障をモニタリング、診断、解析、または予測するステップと、
前記コンピューティング・デバイス・プロセッサによって、前記変圧器（１１０）の故障のモニタリング、診断、解析、または予測に応答して前記変圧器（１１０）の動作を修正するための命令を生成するステップと
を備える、方法。
【請求項１２】
前記コンピューティング・デバイス・プロセッサによって、データベースから前記変圧器（１１０）の履歴データを検索するステップと、
前記コンピューティング・デバイス・プロセッサによって、前記受信した保護データの少なくとも一部および前記受信した正常性モニタリングデータの少なくとも一部を前記履歴データと比較するステップと、
前記コンピューティング・デバイス・プロセッサによって、前記受信した保護データの少なくとも一部および前記受信した正常性モニタリングデータの少なくとも一部の前記履歴データとの比較に少なくとも部分的に基づいて、前記受信した保護データの少なくとも一部および前記受信した正常性モニタリングデータの少なくとも一部と前記履歴データとの間の少なくとも部分的な一致を判断するステップであって、
前記受信した保護データの少なくとも一部および前記受信した正常性モニタリングデータの少なくとも一部が、前記変圧器（１１０）の以前の故障を示す履歴データの一部と一致するステップと、
前記コンピューティング・デバイス・プロセッサによって、前記受信した保護データの少なくとも一部および前記受信した正常性モニタリングデータの少なくとも一部と前記履歴データとの間の一致の判断に基づいて、前記変圧器（１１０）の故障を識別するステップとをさらに備える
請求項１１に記載の方法。
【請求項１３】
前記コンピューティング・デバイス・プロセッサによって、前記保護データの受信時に前記受信した保護データにタイムスタンプ付けするステップと、
前記コンピューティング・デバイス・プロセッサによって、正常性モニタリングデータの前記受信時に前記受信した正常性モニタリングデータにタイムスタンプ付けするステップと、
前記コンピューティング・デバイス・プロセッサによって、前記受信した保護データの前記タイムスタンプと前記受信した正常性モニタリングデータの前記タイムスタンプとを比較するステップと、
前記コンピューティング・デバイス・プロセッサによって、前記受信した保護データの前記タイムスタンプと前記受信した正常性モニタリングデータの前記タイムスタンプとの比較に基づいて前記保護データの受信と前記正常性モニタリングデータの受信との間の推定される現在のタイムラグを判断するステップと、
前記コンピューティング・デバイス・プロセッサによって、前記保護データの受信および前記正常性モニタリングデータの受信との間の前記推定される現在のタイムラグと等しい時間のオフセットを前記受信した保護データおよび前記正常性モニタリングデータの少なくとも一方の前記タイムスタンプに割り当て、同じ時点でサンプリングされた保護データおよび正常性モニタリングデータに共通のタイムスタンプを割り当てるステップと、
前記少なくとも１つの保護リレー装置（１２２）および前記少なくとも１つのＭ＆Ｄ装置（１２４）を共通の全地球測位システム（ＧＰＳ）時間ソースに時間同期するステップと
をさらに備える、請求項１１に記載の方法。
【請求項１４】
前記コンピューティング・デバイス・プロセッサによって、前記受信した保護データおよび前記受信した正常性モニタリングデータの解析に基づいて前記変圧器（１１０）に対して次に要求されるメンテナンスを予測するステップと、
前記コンピューティング・デバイス・プロセッサによって、カレンダに前記変圧器（１１０）に対する前記次に要求されるメンテナンスをスケジュールするステップと、
前記コンピューティング・デバイス・プロセッサによって、前記予測された次に要求されるメンテナンスに基づいてメンテナンスのためのカレンダリクエストを生成するステップと、
前記コンピューティング・デバイス・プロセッサによって、前記カレンダリクエストを第２のシステム（１３０）に送信するステップと
をさらに備える、請求項１１に記載の方法。
【請求項１５】
前記コンピューティング・デバイス・プロセッサによって、ならびに前記受信した保護データおよび前記受信した正常性モニタリングデータの解析に少なくとも部分的に基づいて、前記変圧器（１１０）が規制基準の少なくとも１つのセットにもはや準拠していないことを判断するステップをさらに備える、請求項１１に記載の方法。
【請求項１６】
前記コンピューティング・デバイス・プロセッサによって、前記変圧器（１１０）の故障の予測に応答して、前記変圧器（１１０）の動作を停止するステップ
をさらに備える、請求項１１に記載の方法。
【請求項１７】
前記コンピューティング・デバイス・プロセッサによって、前記受信した保護データおよび前記受信した正常性モニタリングデータを関連付けるステップ
をさらに備える、請求項１１に記載の方法。
【請求項１８】
前記コンピューティング・デバイス・プロセッサによって、前記受信した保護データおよび前記受信した正常性モニタリングデータの解析に基づいて、前記変圧器（１１０）の少なくとも１つの構成要素の耐用年数を計算するステップ
をさらに備える、請求項１１に記載の方法。
【請求項１９】
前記コンピューティング・デバイス・プロセッサによって、前記受信した保護データおよび前記受信した正常性モニタリングデータの解析に少なくとも部分的に基づいて、前記変圧器（１１０）の前記予測された故障の原因および種類を予測するステップ
をさらに備える、請求項１１に記載の方法。
【請求項２０】
命令が格納される非一時的コンピュータ読込み可能媒体であって、前記命令は、１つまたは複数のプロセッサ（５０４）によって実行される場合、前記１つまたは複数のプロセッサ（５０４）に、
変圧器（１１０）の保護データを少なくとも１つの保護リレー装置（１２２）から受信することと、
前記変圧器（１１０）の正常性モニタリングデータを少なくとも１つのモニタリングおよび診断（Ｍ＆Ｄ）装置（１２４）から受信することと、
前記受信した保護データおよび前記受信した正常性モニタリングデータを共通タイムリファレンスを使用して解析することと、
前記受信した保護データおよび前記受信した正常性モニタリングデータの解析に少なくとも部分的に基づいて前記変圧器（１１０）の故障をモニタリング、診断、解析、または予測することと、
前記変圧器（１１０）の故障のモニタリング、診断、解析、または予測に応答して前記変圧器（１１０）の動作を修正するための命令を生成することと
を含む動作を実行させる、非一時的コンピュータ読込み可能媒体。
【発明の詳細な説明】
【技術分野】
【０００１】
本開示は、変圧器に関し、より詳しくは、一体型変圧器正常性モニタリングアーキテクチャおよび関連処理に関する。
【背景技術】
【０００２】
電力変圧器のデータをモニタリングする場合、１つまたは複数の装置を、データを収集するために使用する可能性がある。これらの装置は、１つまたは複数の装置タイプの装置を含むことができる。しかしながら、異なる装置タイプの装置は、異なるレートでデータを収集する可能性がある。さまざまな装置タイプおよびデータ収集レートの複数の装置を使用することにより、収集されたデータの使用と関連した時間およびコストが増加する可能性がある。
【発明の概要】
【０００３】
上記の問題の一部または全ては、本開示のある実施形態によって対処することができる。ある実施形態は、一体型変圧器正常性モニタリングアーキテクチャおよび関連処理を含むことができる。他の実施形態は、複数の装置を、電力変圧器の正常性をモニタリングするための共通システムに一体化するためのシステムおよび方法を含むことができる。本開示の一実施形態によれば、方法は、変圧器の保護データを少なくとも１つの保護リレー装置から受信するステップと、変圧器の正常性モニタリングデータを少なくとも１つのモニタリングおよび診断（Ｍ＆Ｄ）装置から受信するステップと、受信した保護データおよび受信した正常性モニタリングデータを共通タイムリファレンスを使用して解析するステップと、受信した保護データおよび受信した正常性モニタリングデータの解析に少なくとも部分的に基づいて変圧器の故障をモニタリング、診断、解析、または予測するステップと、変圧器の故障のモニタリング、診断、解析、または予測に応答して変圧器の動作を修正するための命令を生成するステップとを含むことができる。
【０００４】
本開示の別の実施形態によれば、システムは、保護リレーならびにモニタリングおよび診断（Ｍ＆Ｄ）装置を含むことができる。本システムはまた、コンピュータ実行可能命令を伴うプロセッサを含むことができる。コンピュータ実行可能命令は、変圧器の保護データを少なくとも１つの保護リレー装置から受信する、変圧器の正常性モニタリングデータを少なくとも１つのモニタリングおよび診断（Ｍ＆Ｄ）装置から受信する、受信した保護データおよび受信した正常性モニタリングデータを共通タイムリファレンスを使用して解析する、受信した保護データおよび受信した正常性モニタリングデータの解析に少なくとも部分的に基づいて変圧器の故障をモニタリング、解析、診断、または予測する、および変圧器の故障のモニタリング、診断、解析、または予測に応答して変圧器の動作を修正するための命令を生成する、よう動作可能とすることができる。
【０００５】
さらに、本開示の別の実施形態によれば、コンピュータ実行可能命令を格納する１つまたは複数の非一時的コンピュータ読込み可能媒体を提供することができる。少なくとも１つのプロセッサによって実行される場合、コンピュータ実行可能命令は、少なくとも１つのプロセッサに、変圧器の保護データを少なくとも１つの保護リレー装置から受信することと、変圧器の正常性モニタリングデータを少なくとも１つのモニタリングおよび診断（Ｍ＆Ｄ）装置から受信することと、受信した保護データおよび受信した正常性モニタリングデータを共通タイムリファレンスを使用して解析することと、受信した保護データおよび受信した正常性モニタリングデータの解析に少なくとも部分的に基づいて変圧器の故障をモニタリング、診断、解析、または予測することと、変圧器の故障のモニタリング、診断、解析、または予測に応答して変圧器の動作を修正するための命令を生成することとを含む動作を実行させることができる。
【０００６】
本開示の他の実施形態、システム、方法、装置態様、および特徴は、以下の説明、添付図面、および添付の特許請求の範囲から、明らかになるだろう。
【０００７】
添付図面を参照して詳細な説明を行うが、添付図面は、必ずしも縮尺通りに描かれてはいない。異なる図面で同じ参照番号を使用する場合、同様または同一の項目を示す。
【図面の簡単な説明】
【０００８】
【図１】本開示の一実施形態による、一体型変圧器正常性モニタリングアーキテクチャのための例示的システム環境を示す図である。
【図２】本開示の一実施形態による、（例えば、異常動作状態の間）イベントが変圧器に発生していたという判断に応答してデータを収集するための例示的方法の詳細を示す例示的処理フローダイアグラムである。
【図３】本開示の一実施形態による、通常動作状態の間にデータを収集し、保護リレー装置から受信したデータと、モニタリングおよび診断（Ｍ＆Ｄ）装置から受信したデータとの間のタイムスタンプオフセットを判断し、データおよび／または装置を時間同期するための例示的方法の詳細を示す例示的処理フローダイアグラムである。
【図４】本開示の一実施形態による、変圧器の保護データおよび正常性モニタリングデータを関連付けるための例示的方法の詳細を示すフローダイアグラムである。
【図５】本開示の一実施形態による、一体型変圧器正常性モニタリングアーキテクチャのための例示的コンピューティング環境のブロック図である。
【発明を実施するための形態】
【０００９】
例示的実施形態について、添付図面を参照して、以下でより完全に説明するが、本開示の実施形態の全てではなく一部を示すであろう。本開示は、多くの異なる形態で実施することができ、本明細書に記載する実施形態に限定して解釈されるべきではなく、これらの実施形態は、本開示が適用可能な法的要件を満たすよう提供される。上記のように、同一番号は、全体を通じて、同一要素を意味する。
【００１０】
本開示のある実施形態は、特に、１つまたは複数のモニタリングおよび診断（Ｍ＆Ｄ）装置を、共通システムに一体化することに関する。本明細書で使用される場合、Ｍ＆Ｄ装置は、任意の種類の、保護リレー装置、分解ガス解析（ＤＧＡ）装置、入出力（ＩＯ）装置、センサ測定装置、制御装置、正常性および／または状態モニタリング装置、コンピューティングデバイス、解析装置、インテリジェント電子機器、および／またはマージングユニットなどとすることができる。１つまたは複数のＭ＆Ｄ装置は、共通システムに統合することができ、さまざまな種類のデータを、システム内のさまざまな装置間で、収集、格納、および／または共有することができる。例えば、本開示のシステム実施形態は、保護リレー装置および１つまたは複数のＭ＆Ｄ装置を含むことができ、それぞれが、電力システムおよび／またはグリッドの変圧器のリアルタイムデータを収集するよう構成される。このような方法で、システムにより、異なる種類のデータを使用して、変圧器の正常性（例えば、状態）を一様にモニタリングすることを可能にすることができる。
【００１１】
ここで図を参照すると、図１は、本開示の一実施形態による、一体型変圧器正常性モニタリングアーキテクチャのための例示的システム環境１００を示す。変圧器１１０（または、ジェネレータ、モータ、タービン、および／またはコンプレッサなど）は、本開示のシステム１２０に、動作可能および／または通信可能に接続することができる。いくつかの実施形態において、システム１２０は、変圧器１１０と共に現場に置くことができ、変圧器ハウジングに組み込んでもよい。他の実施形態において、システム１２０は、変圧器１１０から離れた位置に設置することができる。システム１２０は、さらに、オフサイトデータベース、コンピューティングデバイス、および／または変圧器制御パネルなどの、利用者（例えば、電力グリッドマネージャ、データベースマネージャ、電力プラント管理者、電気エンジニア、サービスエンジニア、および／またはメンテナンスエンジニア、ならびに／もしくはアセットマネージャなど）と関連した第２のシステム１３０と、動作可能および／または通信可能に結合することができる。
【００１２】
システム１２０は、変圧器１１０からデータを検索する、および／または変圧器１１０から受信したデータを処理するよう構成される、１つまたは複数の装置を含むことができる。図１から分かるとおり、システム１２０は、保護リレー１２２、１つまたは複数のＭ＆Ｄ装置１２４、およびコンピューティングデバイス（ＣＰＵ）１２６もしくはプロセッサを含むことができる。いくつかの実施形態において、システム１２０、保護リレー１２２、１つまたは複数のＭ＆Ｄ装置１２４、ＣＰＵ１２６、および／または別のプロセッサは、交換可能に使用することができ、システム１２０の各装置（またはシステム環境１００内のシステムの外部にある装置）は、本明細書で開示する任意の動作または機能を実施および／または実行することを可能にする。
【００１３】
変圧器１１０が動作している間、システム１２０は、変圧器１１０についてのさまざまなデータを受信するよう構成することができる。このデータは、さまざまな方法で、および／または複数の設備（例えば、保護リレー、ＤＧＡ装置などのＭ＆Ｄ装置、ブッシングモニタリング装置、部分的放電モニタリング装置、および／またはタップ切換器モニタリング装置など）で、システム１２０によって検索することができる。例えば、システム１２０は、保護リレー１２２を使用して、変圧器１１０のイベントデータ（例えば、変圧器内部故障、変圧器外部故障、変圧器全体故障、および／または変圧器障害など）および／または保護データ（例えば、電圧、周波数、電流、電力、エネルギ、調波、力率、および／または過負荷など）を受信、検索、および／またはサンプリングすることができる。少なくとも１つの実施形態において、システム１２０は、１つまたは複数のＭ＆Ｄ装置１２４を使用して、変圧器１１０の正常性モニタリングデータ（例えば、油の変圧器ガス量、温度データ、絶縁体および／または他の材料の状態、劣化の状態、電気的故障サイン、機械損傷指標、機械動作および／または履歴データ、計算モデルデータ、ならびに／もしくは補助設備正常性情報など）を受信、検索、および／またはサンプリングすることができる。典型的に、データは、所定の間隔で、および／または連続的に、（例えば、リアルタイムまたはほぼリアルタイムで）保護リレー１２２および１つまたは複数のＭ＆Ｄ装置１２４のそれぞれの１つまたは複数のセンサおよび／または入力装置などから、受信することができる。さまざまなＭ＆Ｄ装置１２４が、さまざまな速度で、データをサンプリング（例えば、検索および／または受信）することができる。例えば、ＤＧＡ装置は、ブッシングおよび部分放電装置がモニタリングデータを検索するより遅く、オイルヒュームと関連付けられたデータを検索することができる。保護リレー１２２、１つまたは複数のＭ＆Ｄ装置１２４、および／またはＣＰＵ１２６は、それぞれ、各装置が動作する、したがって、動作（例えば、さまざまなデータタイプの検索および／または処理など）の間、処理速度における遅延、ラグ、および／またはオフセットを構成するレート（例えば、速度および／または間隔長など）を判断する。いくつかの実施形態において、保護リレー１２２および／または１つまたは複数のＭ＆Ｄ装置１２４は、レート情報（例えば、動作開始時間、動作停止時間、および／または動作サイクル長などの各装置の動作および／またはサンプリングの各レートに関する情報）を生成することができる。生成時に、レート情報は、２つ以上の動作装置と関連付けられたレート情報の比較に基づいて２つ以上の動作装置の間の時間オフセット、および／または２つ以上の動作装置の各タイムスタンプの間の差異の計算などを判断する際に、保護リレー１２２および／または１つまたは複数のＭ＆Ｄ装置１２４から、ＣＰＵ１２６に、ＣＰＵ１２６が使用するために送信することができる。レート情報は、標準時間および／または軍用時間でのタイムスタンプ、ビットストリーム、英数字の文字列、英数字の符号化文字列、および／またはテキストファイルなどでフォーマットすることができ、ここで、各文字は、所定のコードによる数および／または英数字の数へのマッピングに対応する。ＣＰＵ１２６によって受信されたレート情報は、ＣＰＵ１２６によって、第１のフォーマットから、第２の共通フォーマットにフォーマットすることができ、その結果、さまざまな装置によって受信される、さまざまなフォーマットタイプの、および／またはさまざまなデータタイプのレート情報を、ＣＰＵ１２６によって効率的に処理することができる。データを受信すると、システム１２０は、ＣＰＵ１２６を使用して、受信データを解析、処理、および／または送信することができる。
【００１４】
いくつかの実施形態において、システム１２０は、まず、保護リレー１２２を使用して、変圧器１１０のイベントデータおよび／または保護データをモニタリングすることができる。上記のように、イベントデータおよび／または保護データは、変圧器１１０の、アナログデータ、デジタルデータ、電子データ、電圧、周波数、電流、特性、属性、および／またはパラメータを含むことができる。保護リレー１２２は、所定の間隔で、または連続的に、（例えば、リアルタイムで）変圧器１１０のイベントデータおよび／または保護データをサンプリングおよび／または収集することができる。サンプリング時、検索された保護データには、イベントデータおよび／または保護データのサンプリングが行われた瞬間に対応する保護リレー１２２によるタイムスタンプを割り当てることができる。イベントデータおよび／または保護データにタイムスタンプを割り当てた後、保護リレー１２２は、変圧器１１０のサンプリングされたイベントデータおよび／または保護データを、システム１２０のＣＰＵ１２６に、解析のために送信することができる。
【００１５】
イベントデータおよび／または保護データの受信時、ＣＰＵ１２６は、１つまたは複数のメモリ領域に、タイムスタンプ付けされたイベントデータおよび／または保護データを格納することができる。１つまたは複数のメモリ領域は、システム１２０に対してネイティブとすることができ、オフサイトサーバおよび／またはクラウドサーバなどとすることができる。ＣＰＵ１２６はまた、タイムスタンプ付けされたイベントデータおよび／または保護データのフォーマットを、他のデータタイプと適合可能な標準化フォーマットに変換することができる。
【００１６】
ＣＰＵ１２６は、イベントデータおよび／または保護データを解析し、イベントが変圧器１１０に対して生じたかどうか、およびそのようなイベントがいつ生じたかを判断することができる。例えば、ＣＰＵ１２６は、イベントデータおよび／または保護データを解析し、イベントが変圧器に対して生じたことを判断する（例えば、消費電力および／または出力におけるスパイクが生じたなどの欠陥または障害が生じたと判断する）ことができる。ＣＰＵ１２６は、イベントデータおよび／または保護データを解析して、測定値および／または受信値の閾値との比較に基づいて、所定の許容可能な閾値を超過した変圧器１１０の最大または最小パラメータ値（例えば、電圧）を識別することができる。このようにして、ＣＰＵ１２６は、変圧器１１０の動作の障害に関わる可能性のある、イベントデータおよび／または保護データにおける異常などの、イベントを認識または検出する。イベントはまた、変圧器１１０に対する１つまたは複数のさまざまな環境を含むことができ、これらに限定されないが、電力障害、機械故障、手動および／または自動トリップ、電気的故障、動作故障、通過事故、漏電、アラーム起動、および／または所定の閾値以上のパラメータなどを含む。
【００１７】
ＣＰＵ１２６は、イベントデータおよび／または保護データの１つまたは複数の測定値に少なくとも部分的に基づいて、イベントデータおよび／または保護データで検出された異常が、変圧器１１０の動作故障に関係する可能性の信頼スコアをさらに生成することができる。典型的に、信頼スコアは、イベントデータおよび／または保護データでの識別された異常が変圧器故障を示すと判断された可能性に対応する数値（例えば、５／１００、６６／１００、３／５、および／または６２％など）および／または英数字（Ａ−および／またはＣ＋など）で具体化される。いくつかの実施形態において、信頼スコアは、イベントデータおよび／または保護データのさまざまな特性に対する閾値などの、１つまたは複数の基準に対するイベントデータおよび／または保護データの評価に基づいて判断される。例えば、変圧器１１０と関連付けられた電圧のスパイクなどの、受信した保護データの第１の特性が、電圧基準の閾値以上である（ならびに／もしくは所定の時間閾値の間に電圧の閾値に達した、および／または超過した）と判断された場合、ＣＰＵ１２６は、電圧のスパイク（例えば、保護データにおけるスパイク）が故障を示すことを示すように、比較的高い信頼データを決定することができる。所定の閾値スコアを超えるさまざまなイベントが、変圧器１１０の利用者および／またはオペレータに、警告メッセージでフラグ立ておよび／または送信することができる。さらに、イベントが発生したという判断に少なくとも部分的に基づいて、システム１２０（例えば、保護リレー１２２および／またはＣＰＵ１２６）は、コマンドを１つまたは複数のＭ＆Ｄ装置１２４に送信し、変圧器１１０からの正常性モニタリングデータのサンプリングを開始し、変圧器正常性状態についてのイベントの蓄積効果を解析することができる。
【００１８】
１つまたは複数のＭ＆Ｄ装置１２４は、システム１２０によって使用され、変圧器１１０の機械的問題または電気的問題に関連するデータ（例えば、正常性モニタリングデータ、電子データ、機械劣化データ、および／またはサインデータ）を検索および／または収集することができる。例えば、１つまたは複数のＭ＆Ｄ装置１２４は、変圧器１１０におけるオイルのガス粒子の解析を介してデータを検索および／または収集（例えば、サンプリング）するよう構成することができる。オイルのガス粒子の解析の例には、これらに限定されないが、光音響分光法およびガスクロマトグラフィーを含むことができる。さまざまなＭ＆Ｄ装置１２４を、（例えば、粒子サイズおよび／またはオイルタイプなどに基づいて）さまざまな種類の正常性モニタリングデータを検索するために使用することができる。サンプリング時に、１つまたは複数のＭ＆Ｄ装置１２４は、検索された正常性モニタリングデータにタイムスタンプを割り当てることができる。典型的に、タイムスタンプは、正常性モニタリングデータのサンプリングが行われた時間のインスタンスに対応する。正常性モニタリングデータをタイムスタンプ付けした後、１つまたは複数のＭ＆Ｄ装置１２４は、変圧器１１０のサンプリングされた正常性モニタリングデータを、システム１２０のＣＰＵ１２６に、処理および／または解析のために送信することができる。
【００１９】
正常性モニタリングデータの受信時、ＣＰＵ１２６は、タイムスタンプ付けされた正常性モニタリングデータを、１つまたは複数のメモリならびに／もしくはデータストレージ領域に格納することができる。典型的に、ＣＰＵ１２６は、タイムスタンプ付けされた正常性モニタリングデータを、タイムスタンプ付けされたイベントデータおよび／または保護データのメモリ位置に格納することができ、ならびに／もしくはメモリ位置に少なくとも部分的に基づいて、イベントデータおよび／または保護データを、同じタイムスタンプを有する正常性モニタリングデータと関連付けることができる。ＣＰＵ１２６は、タイムスタンプ付けされた正常性モニタリングデータのフォーマットを、他のデータタイプと適合可能な標準化フォーマットに変換することができる。例えば、ＣＰＵ１２６は、標準時間でフォーマットされたタイムスタンプ付けされた正常性モニタリングデータを、軍用時間フォーマットに変換することができる。さらに、ＣＰＵ１２６は、全ての受信データ（例えば、イベントデータ、保護データ、および／または正常性モニタリングデータ）を、共通のデータストレージファイル、レポート、および／またはレコードに格納することができる。
【００２０】
１つまたは複数のＭ＆Ｄ装置１２４を使用した変圧器１１０の正常性モニタリングデータのサンプリングが、保護リレー１２２を使用した変圧器１１０のイベントデータおよび／または保護データのサンプリングよりも比較的多くのコンピュータ処理およびより多くの時間を（例えば、変圧器１１０の正常性モニタリングデータを検索および／または収集するためにより多くの計算器能力および解析を）必要とする可能性があるので、ＣＰＵ１２６は、タイムスタンプオフセットを、タイムスタンプ付けされたイベントデータおよび／または保護データならびにタイムスタンプ付けされた正常性モニタリングデータの少なくとも１つのタイムスタンプに追加されるタイムスタンプオフセットを判断するよう構成することができる。例えば、ＣＰＵ１２６は、第１の装置（例えば、保護リレー１２２）の第１のタイムスタンプと、第２の装置（例えば、Ｍ＆Ｄ装置１２４）との間の時間の差異を判断することができる。いくつかの実施形態において、タイムスタンプは、秒、分、時間、日、週、月、および／または年などの一部の数値とすることができる。このようにして、システム１２０は、同じ時間にサンプリングおよび／または受信された全てのデータ（例えば、イベントデータ、保護データ、および／または正常性モニタリングデータ）のタイムスタンプが、互いに正確に同期することを確実にすることができる。
【００２１】
さらに、１つまたは複数のＭ＆Ｄ装置１２４を使用して変圧器１１０の正常性モニタリングデータをサンプリングすることは、時間のかかる処理である可能性があるので、正常性モニタリングデータのサンプリングの指示を、システム１２０によって事前にスケジュールする必要がある可能性がある。例えば、システム１２０は、１つまたは複数のＭ＆Ｄ装置１２４が、１つまたは複数のＭ＆Ｄ装置１２４の状態を連続的にモニタリングすることによって、変圧器１１０の正常性モニタリングデータを現在サンプリングしているかどうかを判断する（例えば、１つまたは複数のＭ＆Ｄ装置１２４の状態を判断する）ことができる。１つまたは複数のＭ＆Ｄ装置１２４が変圧器１１０の正常性モニタリングデータを実際に現在サンプリングしていると判断された（例えば、１つまたは複数のＭ＆Ｄ装置１２４の状態がスタンバイ状態ではないと判断された）場合、システム１２０は、次の利用可能なタイムスタンプで、１つまたは複数のＭ＆Ｄ装置１２４をスケジュールすることができる。１つまたは複数のＭ＆Ｄ装置１２４が変圧器１１０の正常性モニタリングデータを現在サンプリングしていないと判断された（例えば、１つまたは複数のＭ＆Ｄ装置１２４の状態がスタンバイ状態であると判断された）場合、システム１２０は、１つまたは複数のＭ＆Ｄ装置１２４に、すぐに、または所定の時間で、サンプリングを開始するよう促すことができる。
【００２２】
ＣＰＵ１２６は、１つまたは複数の解析のために、格納データ（例えば、イベントデータ、保護データ、および／または正常性モニタリングデータ）を再呼び出しおよび／または検索するようさらに構成することができる。例えば、変圧器１１０に対してイベントが発生したという判断に応答して、ＣＰＵ１２６は、利用可能な履歴データ、または判断された発生したイベントのタイムスタンプの直前にタイムスタンプ付けされたデータのサンプル（例えば、プリデータ）および／またはすぐにタイムスタンプ付けされたデータのサンプルもしくは判断された発生したイベントのタイムスタンプの後に収集された複数のデータサンプル（例えば、Ｎ個のサンプル）（例えば、ポストデータ）を再呼び出しすることができる。いくつかの実施形態において、プリデータおよびポストデータを再呼び出しすることは、メモリに格納されたイベントデータ、保護データ、および／または正常性モニタリングデータのタイムスタンプを決定すること、ならびにメモリに格納されたイベントデータ、保護データ、および／または正常性モニタリングデータを、イベントプリデータ、イベントポストデータ、保護プリデータ、保護ポストデータ、正常性モニタリングプリデータ、および／または正常性モニタリングポストデータとして、それぞれのタイムスタンプに少なくとも部分的に基づいて、識別することを含むことができる。
【００２３】
ＣＰＵ１２６は、さまざまな目的のために、プリデータおよびポストデータを解析することができる。例えば、プリデータおよびポストデータは、変圧器１１０に対して生じたイベントの原因を判断するために、またはイベントが発生したために変圧器１１０が受けるストレスの量を把握するために、解析することができる。このようにして、プリデータおよびポストデータを使用して、プリデータおよびポストデータがイベント（例えば、故障）の発生に寄与する特定の極端なパラメータまたは他の要因を示す可能性がある場合に、イベントが発生する直前に、または直後に、変圧器１１０の状態を把握することができる。ＣＰＵ１２６は、データ（例えば、イベントデータ、保護データ、正常性モニタリングデータ、プリデータ、および／またはポストデータ）に少なくとも部分的に基づいて、イベントタイプを判断してもよい。
【００２４】
いくつかの実施形態において、ＣＰＵ１２６によるデータの解析には、現在受信したイベントデータ、保護データ、および／または正常性モニタリングデータと、メモリに格納された履歴データ（例えば、履歴イベントデータ、履歴保護データ、および／または履歴正常性モニタリングデータ）との比較を含むことができる。このような方法で、ＣＰＵ１２６は、最近受信したデータと、変圧器１１０に対して特定の履歴イベントが発生したことを示す履歴データとを比較するよう構成することができる。最近受信したデータと、同じ変圧器１１０または別の変圧器に対して履歴イベントが発生したことを示す履歴データとの間の一致の判断に少なくとも部分的に基づいて、ＣＰＵ１２６は、履歴イベントのタイプと同じイベントタイプのイベントが変圧器１１０に最近発生したことを判断することができる。同様の解析を、ＣＰＵ１２６によって実施して、最近発生したイベントのイベントタイプおよび／またはイベント原因を判断してもよい。
【００２５】
データの解析に少なくとも部分的に基づいて、ＣＰＵ１２６は、変圧器１１０に対して生じたと判断されたイベントの原因を判断および／または予測するよう構成することができる。いくつかの実施形態において、ＣＰＵ１２６は、変圧器１１０の、メンテナンス不良などの、将来のイベント、将来のイベントの原因、および／または将来のイベントのタイプを予測するようさらに構成することができる。変圧器１１０の将来のイベントの予測に応答して、ＣＰＵ１２６は、予測された将来のイベントが発生する前に、メンテナンスリクエストを生成および／またはスケジュールして、変圧器１１０を修理し、メモリにイベントとして記録し、ならびに／もしくはアラーム、注意喚起、および／または警告などを発することができる。システム１２０は、メンテナンスまたは頻繁なモニタリングリクエストを第２のシステム１３０に送信することができ、ある実施形態において、第２のシステム１３０は、メンテナンスサーバおよび／または１人または複数の指定された関係者と関連付けることができる。
【００２６】
いくつかの実施形態において、データの解析には、変圧器１１０の１つまたは複数のパラメータ（例えば、電子部品、機械部品、および／または補助部品などの態様）が、１つまたは複数の規制基準および／または故障コードにもはや準拠していないと判断することを含むことができる。ＣＰＵ１２６は、変圧器１１０の受信データおよび／または履歴データを、１つまたは複数の規制基準および／または故障コードに準拠していない変圧器と関連付けられたデータと比較することができる。例えば、着信および／または最近受信したデータ（例えば、イベントデータ、保護データ、および／または正常性モニタリングデータ）を、既知の故障タイプおよび／または特定の故障タイプ（例えば、１つまたは複数の規制基準および／または故障コードに準拠しないことが認められたイベント）と関連付けられたデータベースに格納されたデータと比較することができる。このような方法で、ＣＰＵ１２６は、最近受信したデータと、既知の故障タイプおよび／または特定の故障タイプと関連付けられた履歴データとの間の、少なくとも部分的な一致を判断することを可能とすることができる。変圧器１１０の受信データおよび／または履歴データと、１つまたは複数の規制基準および／または故障コードに準拠しない変圧器と関連付けられたデータとの間の少なくとも部分的な一致を判断することに少なくとも部分的に基づき、ＣＰＵ１２６は、変圧器１１０がメンテナンスおよび／または交換が必要であると判断することができる。
【００２７】
さらに、ＣＰＵ１２６は、データの解析に少なくとも部分的に基づいて、１つまたは複数のレポートを生成するよう構成することができる。例えば、ＣＰＵ１２６は、受信した保護データと関連付けられたパラメータに少なくとも部分的に基づいて、電力障害、電流の極端な変動、調波、および／または突入電流レベルなどの、変圧器１１０の識別された電力的問題および／または電気的問題を強調する通電レコードを生成することができる。さらに、通電処理（例えば、電源投入および／または切断など）の間に収集された正常性モニタリングデータは、イベントデータ、保護データ、および／または他の種類のデータと関連付けられ、通電サイクルの間の変圧器１１０でのストレスレベルを把握することができる。
【００２８】
そのため、変圧器通電状態が保護リレー１２２によって検出された場合、例えば、開始データレコード（例えば、通電レコード）をトリガすることができ、保護リレー１２２は、パラメータのソース（例えば、パラメータが、保護リレー１２２またはＤＧＡモニタ装置からサンプリングされているかどうかなど）によるレートでさまざまなパラメータをサンプリングおよび記録することを開始することができる。いくつかの実施形態において、パラメータは、通常は、１つまたは複数の位相（例えば、位相Ａ、Ｂ、および／またはＣ）における最大二次調波突入二乗平均平方根（ＲＭＳ）電流の大きさ、１つまたは複数の位相（例えば、位相Ａ、Ｂ、および／またはＣ）における１つまたは複数の基本波に対する二次調波の最大割合レベル、１つまたは複数の位相（例えば、位相Ａ、Ｂ、および／またはＣ）における最大五次調波突入二乗平均平方根（ＲＭＳ）電流の大きさ、１つまたは複数の位相（例えば、位相Ａ、Ｂ、および／またはＣ）における１つまたは複数の基本波に対する五次調波の最大割合レベル、突入電流における調波成分、突入電流と安定状態磁化電流との間の減衰時間、通電の間のＲＭＳ電圧降下、過渡過電圧の大きさおよび／またはその期間、電圧サグ、電圧スウェル、全高周波歪み（ＴＨＤ）、および／または高調波ひずみ係数（ＨＤＦ）などの電力品質データ、二次から二十五次調波レベル、１つまたは複数の位相（例えば、位相Ａ、Ｂ、および／またはＣ）の真のＲＭＳ値、およびそれぞれの電流（例えば、電流Ｉａ、Ｉｂ、および／またはＩｃ）、三相電流の真のＲＭＳ値の平均（例えば、電流Ｉａｖｇ）、接地電流（例えば、Ｉｇ）の真のＲＭＳ値、電流不平衡度（％）、各位相（例えば、Ａ−Ｎ、Ｂ−Ｎ、および／またはＣ−Ｎ）および／または各電流（例えば、Ｖａｎ、Ｖｂｎ、およびＶｃｎ）の真のＲＭＳ値、三相有効電力、三相無効電力、三相力率、周波数、変圧器状態、巻線ホットスポット温度、最高油温、経年変化要因、寿命の終了、１つまたは複数の装置に対するＤＧＡガス百万分率（ｐｐｍ）および／またはｐｐｍ／日値、ガス比値、ＤＧＡモデル状態、測定された入力／出力（Ｉ／Ｏ）チャネルデータ、ブッシングデータ、負荷時タップ切換器（ＯＬＴＣ）ＤＧＡデータ、部分的放電データ、電気サイン解析データ、サーマルイメージングデータ、および他の任意の変圧器状態モニタリングデータを含むことができる。
【００２９】
他の例において、ＣＰＵ１２６は、変圧器１１０の実際の受信データ（例えば、イベントデータ、保護データ、および／または正常性モニタリングデータ）および実際のデータのプロットを含む学習済みデータレコードを生成することができる。ＣＰＵ１２６は、実際のデータの解析および／またはプロットに少なくとも部分的に基づいて、さまざまなデータタイプのデータを関連付け、ならびに／もしくは変圧器挙動の１つまたは複数の傾向を識別および／または予測することができる。例えば、ＣＰＵ１２６は、欠陥が特定の期間にわたって発生していると判断することなど（例えば、特定の変圧器要素が、夏期のピーク負荷のために故障したと判断すること、変圧器１１０の過負荷状態とガス粒百万分率（ｐｐｍ）生成レートとを関連付けること、巻線絶縁劣化をモニタリングすること、ならびに／もしくはホットスポット温度、経年変化要因、寿命の終了、および／またはガスｐｐｍデータを一般的に解析することなど）の、データおよび／または環境条件に基づく故障のパターンを判断することができる。
【００３０】
典型的に、保護リレー１２２は、実際の変圧器動作から個々のデータレコードを測定および記録する。最新の個々のデータレコード「セット」は、保護リレー１２２で学習済みデータ機能を使用して表示することができる。このデータは、学習済みデータレコーダに順次入力された場合（例えば、ＣＰＵ１２６によって解析および／または格納された場合）、ある時間にわたって変化および／または傾向を評価するために使用することができる。いくつかの実施形態において、学習済みデータのコンテンツは、通常は、学習済みおよび／または最終最大通電ＲＭＳ突入位相の大きさおよび／または電流の大きさ、二次および／または五次調波レベルの学習済み割合、学習済み突入電流と安定状態磁化電流との間の減衰時間、通電の間の学習済みＲＭＳ電圧降下、学習済み過渡過電圧の大きさおよび／または期間、電圧サグ、電圧スウェル、全高周波歪み（ＴＨＤ）、および／または高調波ひずみ係数（ＨＤＦ）などの電力品質データ、学習済み二次から二十五次調波レベル、各巻線に対する学習済みＨＤＦ、学習済み最大ＷＨＳＴ、学習済み最大最高油温、最終ブレーカアーク電流、学習済み平均負荷、学習済み平均有効電力、学習済み平均無効電力、学習済み最大変圧器過負荷、最終経年変化要因、寿命の最終終了、学習済み最大ＴＨＤ、学習済み割合電流不平衡度、学習済み総溶存可燃性ガス（ＴＤＣＧ）、学習済み最大ガスｐｐｍ値、学習済み最大ガスＲｏＣ値、学習済み湿気レベル、学習済みＤＧＡモデル出力、学習済み測定Ｉ／Ｏチャネルデータ、学習済みブッシングデータ、学習済みＯＬＴＣ  ＤＧＡデータ、学習済み部分的放電データ、学習済み電気サイン解析データ、学習済みサーマルイメージングデータ、および他の任意の変圧器状態モニタリングデータを含むことができる。
【００３１】
別の実施形態において、ＣＰＵ１２６は、イベントの発生前、発生中、および発生後の変圧器１１０によって引き起こされるストレスレベルの解析を含むことができる統合欠陥レポートを生成することができる。欠陥レポートはまた、プリデータとポストデータとの間の変圧器１１０のパラメータレベルの判断された変化を含むことができる。ＣＰＵ１２６は、変圧器１１０によって引き起こされるイベント（例えば、故障）の回数、それらのイベントタイプ、および／またはイベントの頻度などの、データおよび／または計算されたデータポイントの解析に少なくとも部分的に基づいて、変圧器１１０および／または変圧器要素（例えば、変圧器１１０の部品および／またはシステムなど）の耐用年数をさらに判断することができる。例えば、ＣＰＵ１２６は、過度波形、欠陥データ、プリおよびポスト保護データ、プリおよびポストＭ＆Ｄデータ、ネームプレートデータ、計算データ、ならびに／もしくはプリおよびポスト欠陥データによる計算された変圧器モデルおよび欠陥コードなどに基づいて、変圧器１１０での電気的ストレスおよび／または機械的ストレスに起因する、特定の欠陥タイプ（例えば、イベント）が発生したと判断することができる。ＣＰＵ１２６は、判断された欠陥および／またはイベントの欠陥タイプ（例えば、イベントタイプ）を識別、格納、および／または学習することができ、同様の欠陥が後に発生する可能性があるかどうかを予測するために、その情報を使用することができる。
【００３２】
ＣＰＵ１２６はまた、ＤＧＡ解析を通じて、正常性モニタリングデータおよびイベントデータを使用して、デジタル欠陥レポート（ＤＦＲ）レコードを生成することができる。いくつかの実施形態において、ＤＦＲレコードは、発生したイベント周りのプリデータおよび／またはポストデータに基づいて、関連付けられたアナログおよび／またはデジタル信号パラメータを取得することができる。このような方法で、正常性モニタリングデータ、保護データ、および／またはイベントデータを使用して、変圧器１１０をトリップおよび／または故障させる欠陥イベントのために変圧器１１０が受けたストレスの量について、オペレータの理解を補助することができる。
【００３３】
欠陥および停電などの変圧器イベントは、典型的に、非常に高速に発生し、変圧器１１０は、重度および／または過度のストレス状態に曝される。欠陥またはトリップ状態の回数が変圧器１１０の動作寿命の間に増加すると、変圧器資産年齢の増加に基づき、変圧器故障と関連付けられたリスクが次第に増加する可能性がある。したがって、変圧器１１０が受けるストレスの量に基づいて故障条件を早期に予測することは、複数のデータタイプ（例えばイベントデータ、保護データ、および／または正常性モニタリングデータなど）が各変圧器イベントの間に取得されることを必要とする可能性がある。各変圧器イベントのデータおよび欠陥の種類をモデル化することによって、欠陥予測が可能となるであろう。
【００３４】
ＣＰＵ１２６によって収集および／または処理される別の種類のデータには、全てのＤＧＡガスのプリおよび／またはポストイベントガスｐｐｍならびに／もしくは変化率ガスｐｐｍ値を含むことができるＤＦＲデータ、デュバルトライアングル（Ｄｕｖａｌ  ｔｒｉａｎｇｌｅ）から派生した関連ＤＧＡ故障コード、ガス率、主要ガス、および／または他の任意のＤＧＡモデル計算を含むことができる。ＤＦＲデータはまた、測定Ｉ／Ｏチャネル、ＤＧＡガス情報、ブッシング、ＯＬＴＣ  ＤＧＡ、部分放電、サイン解析、温度イメージング、および欠陥レポートに適切な他の任意の変圧器状態モニタリングデータを含む。欠陥レポートにおける保護データに即した正常性モニタリングデータは、変圧器１１０および／またはその内部部品もしくは補助部品が欠陥イベントのために受けたストレスの量をオペレータが把握するための補助となる。
【００３５】
上記のように、変圧器イベントは、変圧器１１０に状態をトリップさせるおよび／または瞬間的にシャットダウンさせる任意の異常状態（例えば、内部欠陥）または停電（例えば、外部欠陥による）として、この明細書では定義される。変圧器イベントは、いくつかの実施形態において、ブレーカの状態による変圧器通電状態によって感知することができる。いくつかの実施形態において、変圧器イベントは、瞬時差動保護リレー１２２動作、保護リレー１２２動作における比率差動、位相、中間、および／または接地状態過電流、高調波ディレーティング要因（ＨＤＦ）、タップ切換器故障、熱素子、過負荷状態、ＴＨＤ、制限された地絡、ネガティブシーケンス過電流、二次および／または五次高調波レベル、過励起、過周波数および／または不足周波数、手動停止コマンド、ならびに／もしくはＤＧＡ欠陥などの、さまざまな機能動作の欠陥に基づいて判断される。
【００３６】
ＣＰＵ１２６はまた、履歴最大レコードを生成することができる。ＣＰＵ１２６は、各受信データ値（例えば、受信イベントデータ、保護データ、および／または正常性モニタリングデータ）を、同様のデータおよび／またはパラメータタイプのメモリに格納された履歴最大値と比較するよう構成することができる。ＣＰＵ１２６は、２つのデータ値のどちらが最大（または最小および／または平均など）であるかを判断することができ、対応する最大タグを、判断された最大値に割り当てることができる。このような方法で、システム１２０は、その寿命にわたるタイムスタンプに加えて、変圧器１１０の各パラメータに対する極端な値を追跡（例えば、格納）することができる。いくつかの実施形態において、パラメータは、通常は、変圧器通電ＲＭＳ突入位相電流の大きさ、二次および／または五次調波レベルの割合、突入電流と安定状態磁化電流との間の減衰時間、通電の間のＲＭＳ電圧降下、過渡過電圧の大きさおよび／または期間、電圧サグ、電圧スウェル、全高周波歪み（ＴＨＤ）、および／または高調波ひずみ係数（ＨＤＦ）などの電力品質データ、二次から二十五次調波レベル、各巻線に対するＨＤＦ、ＷＨＳＴおよび関連巻線、最高油温、ブレーカアーク電流、平均負荷、平均有効電力、平均無効電力、変圧器過負荷レベル、経年変化要因、ＴＨＤレベル、割合電流不平衡度、ＴＤＣＧ、ＤＧＡガスｐｐｍ値、ＤＧＡガスｐｐｍおよび／または変化率値、割合湿気（ＲＨ）レベル、測定Ｉ／Ｏチャネルデータ、ブッシングデータ、ＯＬＴＣ  ＤＧＡデータ、部分的放電データ、電気サイン解析データ、サーマルイメージングデータ、および他の任意の変圧器状態モニタリングデータを含む。
【００３７】
ＣＰＵ１２６はまた、さまざまな実施形態で説明する変圧器１１０の一部または全てのデータの解析を要約することができる変圧器正常性レポートを生成することができる。変圧器正常性レポートは、各時点での変圧器１１０の一部または全ての測定されたパラメータ、ならびに／もしくはメンテナンスおよび／またはメンテナンスリクエストの勧告および／または状態などを含むことができる。
【００３８】
変圧器フリートレポートも、ＣＰＵ１２６によって生成することができる。変圧器フリートレポートは、電力システムおよび／またはユーティリティグリッド内の複数の変圧器に対する１つまたは複数の変圧器正常性レポートからのデータを含むおよび／または組み合わせることができる。変圧器フリートレポートはまた、電力プラントおよび／または配電システムの地理的領域の決定容量、識別されたイベントおよび／または問題のある変圧器、ランキング、ならびに／もしくはリスク指標を含むことができる。
【００３９】
各レポートおよび／またはデータそのものは、レビュー、追加処理、および／または表示のために第２のシステム１３０に送信することができる。いくつかの実施形態において、データおよび／またはレポートは、第２のシステム１３０と関連付けられたモバイルコンピューティングおよび／または通信装置のディスプレイを介してユーザに提示することができる。他の実施形態において、データおよび／またはレポートは、ドキュメント、電子メール、メッセージ、ツイート、および／またはテキストなどとして生成および送信することができる。データおよび／またはレポートはまた、ネットワークベースサーバまたはクラウドベースサーバにアップロードしてもよく、その結果、１人または複数の利用者によって利用可能となる。利用者認証が、データおよび／またはレポートにアクセスするために必要となるであろう。
【００４０】
システム１２０は、保護リレー１２２または別の装置を使用して、変圧器１１０の動作を制御するようさらに構成することができる。例えば、システム１２０が、変圧器１１０のデータの解析に少なくとも部分的に基づいて、変圧器１１０が変圧器１１０の機械部品の故障を含むイベントに曝されたと判断した場合、保護リレー１２２は、（特定のイベントタイプの判断に応答して）、変圧器１１０の動作を切断するか、動作を制御することができる。
【００４１】
システム１２０はまた、１つまたは複数の変圧器と一体型とすることができる。このような方法で、システム１２０は、変圧器および／または変圧器制御システムの間でのデータの通信、送信、受信、および／または共有を可能にすることができる。いくつかの実施形態において、システム１２０は、１つまたは複数の変圧器をモニタリングし、複数の変圧器と関連付けられたデータを解析し、および／または１つまたは複数の変圧器を制御するよう構成することができる。
【００４２】
上記の方法では、本開示のある実施形態により、さまざまなタイプのデータを、システム１２０などの共通システム内で検索および解析することを可能にすることができる。同じ時点でサンプリングされたさまざまなタイプのデータを解析することによって、システム１２０は、変圧器１１０に発生したイベントをより正確に識別することができ、これらの識別されたイベントの原因もより正確に識別することができる。したがって、システム１２０などのシステムのある実施形態により、変圧器１１０の正常性の維持に関して、時間と費用との両方を節約することができる。本開示のある実施形態の少なくとも１つの技術的効果には、変圧器に対する予測的な故障解析の改善を含むことができる。
【００４３】
図２は、本開示の一実施形態による、異常動作状態の間、イベントが変圧器に発生していたかの判断に応答してデータを収集するための例示的方法の詳細を示す例示的処理フローダイアグラム２００である。図２００は、ブロック２０４で始まり、システム１２０（例えば、ＣＰＵ１２６）は、ブロック２０２で保護リレー１２２から受信した保護データの解析に基づいてイベントが変圧器１１０に生じたことを判断する。イベントが発生したと判断した場合、ブロック２０６で、システム１２０は、次の利用可能なサンプリング時間で（例えば、すぐに）変圧器１１０の正常性モニタリングデータをサンプリングするよう、１つまたは複数のＭ＆Ｄ装置１２４のスケジューリングを開始および／または指令する。ブロック２０８で、システム１２０は、次いで、正しいタイムスタンプを各データ値（例えば、パラメータ、保護データ、および／または正常性モニタリングデータなど）に割り当てることを確実にする。システム１２０は、ブロック２１０で１つまたは複数のＭ＆Ｄ装置１２４の状態を判断し、判断された状態（例えば、アイドル状態であるかないか、および／またはスタンバイ状態であるかないかなど）に基づいて、システム１２０は、１つまたは複数のＭ＆Ｄ装置１２４を使用して、変圧器１１０の正常性モニタリングデータのサンプリングを、スケジュールする（例えば、ブロック２１２）および／または開始する（例えば、ブロック２１４）。システム１２０はまた、１つまたは複数のＭ＆Ｄ装置１２４を使用して、変圧器１１０の正常性モニタリングデータのサンプリングを完了するために必要な時間量を計算する。この計算された時間量は、１つまたは複数のＭ＆Ｄ装置１２４を使用して変圧器１１０の正常性モニタリングデータのサンプリングをいつスケジュールおよび／または開始するかを判断する際に使用することができる。１つまたは複数のＭ＆Ｄ装置１２４は、１つまたは複数のＭ＆Ｄ装置１２４の状態がアイドル状態であると判断された場合、変圧器１１０の正常性モニタリングデータをすぐにサンプリングする。１つまたは複数のＭ＆Ｄ装置１２４の状態が、アイドル状態ではない（例えば、ビジー状態）と判断された場合、システム１２０は、タイムスタンプと共にメモリに正常性モニタリングデータの最終読み込みセットを格納し、正常性モニタリングデータの最終読み込みセットに、プリデータのラベルを割り当てる。所定のスケジュール時間で、１つまたは複数のＭ＆Ｄ装置１２４は、変圧器１１０の正常性モニタリングデータをサンプリングする。次いで、システム１２０は、タイムスタンプと共にメモリにこのサンプリングされた正常性モニタリングデータを格納し、サンプリングされた正常性モニタリングデータにポストデータのラベルを割り当てる。このような方法で、システム１２０は、正常性モニタリングプリデータと、正常性モニタリングポストデータとを収集するよう構成される。
【００４４】
さらに、保護データおよび／またはイベントデータが、イベントを検出するために保護リレーから受信された場合、データの１回または複数回の読み込みを、すぐにスケジュールすることができる。例えば、ブロックＡで、判断された発生イベントのタイムスタンプで、および／または判断された発生イベントのタイムスタンプの前に生じたルーチンサンプリングの間に１つまたは複数のＭ＆Ｄ装置から受信された正常性モニタリングデータが処理される。１つまたは複数のＭ＆Ｄ装置のレジスタは、格納された正常性モニタリングデータおよび／またはアラームをすでに含んでもよい。イベントが発生したと判断された場合の１つまたは複数のＭ＆Ｄ装置の状態により、１つまたは複数のＭ＆Ｄ装置のレジスタ内の正常性モニタリングデータおよび／またはアラームは、発生イベントのタイムスタンプに対応する（例えば、タイムスタンプ付けされた）正常性モニタリングデータを含んでもよいし、含まなくてもよい。したがって、１つまたは複数のＭ＆Ｄ装置のレジスタに格納された正常性モニタリングデータは、発生イベントに関係しない可能性がある。
【００４５】
したがって、ブロックＣ（例えば、ブロック２１４）などの、１つまたは複数のＭ＆Ｄ装置の状態がスタンバイ状態である場合、本システムは、１つまたは複数のＭ＆Ｄ装置のレジスタに格納された正常性モニタリングデータの最終読み込みセットおよび／または利用可能な履歴データをプリデータ（例えば、正常性モニタリングプリデータ）として格納し、１つまたは複数のＭ＆Ｄ装置に正常性モニタリングデータの新規セットを読み込むよう指令し、および／またはイベントの後に１つまたは複数のサンプルに対して正常性モニタリングデータの新規セットの次の読み込みをスケジュールし、ならびに正常性モニタリングデータの新規セットをポストデータ（例えば、正常性モニタリングポストデータ）として格納することができる。次いで、本システムは、何らかのイベントおよび／または特定のイベントの発生を判断するために使用されるイベントデータおよび／または保護データを、プリデータおよび／またはポストデータと関連付けるおよび／または関係付けることができる。
【００４６】
あるいは、ブロックＢ（例えば、ブロック２１２）でのように、１つまたは複数のＭ＆Ｄ装置の状態がスタンバイ状態ではない場合、本システムは、ブロックＣに対して上記したのと同じプロシージャに従う。しかしながら、本システムは、１つまたは複数のＭ＆Ｄ装置のレジスタに格納された最終読込み正常性モニタリングデータを使用して、本システムによって読み込まれて格納される、正常性モニタリングデータの新規セットの次の読み込みをスケジュールすることができる。いくつかの実施形態において、正常性モニタリングデータの読み込みは、変圧器が特定の状態（例えば、起動および／または停止など）にある場合にスケジュールすることができる。
【００４７】
図３は、本開示の一実施形態により、通常の変圧器動作の間に１つまたは複数の装置からデータを収集し、保護リレー装置から受信したデータと、溶存ガス分析（ＤＧＡ）装置から受信したデータとの間のタイムスタンプオフセットを判断する、例示的方法３００の詳細を示す例示的処理フローダイアグラムである。図は、ブロック３０２で始まり、システム１２０が、保護リレー１２２と、１つまたは複数のＭ＆Ｄ装置１２４との間の通信を確立する。ブロック３０４で、システム１２０（例えば、ＣＰＵ１２６）は、次いで、１つまたは複数のＭ＆Ｄ装置１２４から正常性モニタリングデータを、保護リレー１２２から保護データを、読み込む（例えば、検索する）。次いで、ブロック３０６で、システム１２０は、正常性モニタリングデータおよび保護データのタイムスタンプを処理し、タイムスタンプを保護データおよび正常性モニタリングデータのそれぞれへの割り当てる間の現在のタイムラグを推定する。典型的に、１つまたは複数のＭ＆Ｄ装置１２４によって実行されるタイムスタンプ付けは、保護リレー１２２によって実行されるタイムスタンプ付けより遅れる。次いで、ブロック３０８で、システム１２０は、１つまたは複数のＭ＆Ｄ装置１２４の現在の状態を判断し、その結果、システム１２０は、ブロック３１０で、何らかのエラーに対して、１つまたは複数のＭ＆Ｄ装置１２４を測定および／または解析することができる。決定ブロック３１２で、システム１２０によってエラーが検出された場合、システム１２０は、はいの枝に進み、ブロック３１４で、１つまたは複数のＭ＆Ｄ装置１２４が変圧器の正常性モニタリングデータをサンプリング（例えば、検索および／または読み込み）することができる次の利用可能時間に対応する時点で、保護リレー１２２を使用して、変圧器１１０の保護データの読み込み（例えば、検索）をスケジュールする。同じ時点で、保護データと正常性モニタリングデータとの両方の検索をスケジュールすることによって、システム１２０が、保護データおよび／または正常性モニタリングデータに追加されるべきタイムスタンプオフセットを計算し、それにより、同じ時点で受信した（例えば、サンプリングした）データが同じタイムスタンプを有することを確実にすることができる。決定ブロック３１２に戻り、システム１２０によって何らのエラーも検出されなかった場合、いいえの枝に進み、ブロック３１６で、システム１２０は、１つまたは複数のＭ＆Ｄ装置１２４から正常性モニタリングデータをすぐに検索し、保護リレー１２２および１つまたは複数のＭ＆Ｄ装置１２４から検索した（例えば、サンプリングした）データとの間に何らかのラグがあるかを判断する、検索された正常性モニタリングデータにタイムスタンプを割り当てる。次いで、システム１２０は、ブロック３１８に進み、利用者から受信することができる、ならびに／もしくは以前の測定日時および／または時間に基づくことができる、次の測定日時および／または時間情報を処理する。次の測定日時および／または時間情報を使用して、システム１２０は、ブロック３１４で、次のクライアントデータ読み込みをスケジュールすることができる。次のクライアントデータ読み込みは、所定の日時および／または時間で保護リレー１２２および／または１つまたは複数のＭ＆Ｄ装置１２４からデータを読み込むことを含むことができ、所定の日時および／または時間は、装置間の判断されたタイムラグおよび／または時間オフセットを補償する。データを読み込んだ後、システム１２０は、ブロック３０６に戻り、１つまたは複数のＭ＆Ｄ装置１２４からのデータを処理する。さらに、システム１２０は、全地球測位システム（ＧＰＳ）ベースタイムリファレンスに基づいて、全てのリレーおよび／またはＭ＆Ｄ装置１２４を時間同期することができる。システム１２０はまた、規則的な間隔で、１つまたは複数のＭ＆Ｄ装置１２４を時間同期するよう、保護リレー１２２に指令することができる。
【００４８】
図４は、本開示の一実施形態による、変圧器の保護データおよび正常性モニタリングデータを関連付けるための例示的方法４００の詳細を示すフローダイアグラムである。ブロック４０２で、方法４００は、少なくとも１つの保護リレー装置から変圧器の保護データを受信するステップを含むことができる。ブロック４０４で、方法４００は、少なくとも１つのモニタリングおよび診断（Ｍ＆Ｄ）装置から、変圧器の正常性モニタリングデータを受信するステップを含むことができる。ブロック４０６で、方法４００は、共通リファレンスを使用して、受信した保護データおよび受信した正常性モニタリングデータを解析するステップを含むことができる。ブロック４０８で、方法４００は、受信した保護データおよび受信した正常性モニタリングデータの解析に少なくとも部分的に基づいて、変圧器の故障をモニタリング、診断、解析、または予測するステップを含むことができる。ブロック４１０で、方法４００は、変圧器の故障をモニタリング、診断、解析、または予測するステップに応答して、変圧器の動作を修正するための命令を生成するステップを含むことができる。
【００４９】
図５は本開示の一実施形態による、一体型変圧器正常性モニタリングアーキテクチャのための例示的コンピューティング環境５００のブロック図である。コンピューティング環境５００は、メモリ５０２と通信することが可能なプロセッサ５０４を含むことができる１つまたは複数の装置（例えば、保護リレーおよび／またはＭ＆Ｄ装置など）を含むことができる。プロセッサ５０４は、ハードウェア、ソフトウェア、ファームウェア、またはそれらの組み合わせで、適切に実現することができる。プロセッサ５０４のソフトウェアまたはファームウェア実装態様は、説明するさまざまな機能を実行するために、任意の適切なプログラミング言語で記述されたコンピュータ実行可能または機械実行可能命令を含むことができる。
【００５０】
メモリ５０２は、プロセッサ５０４でロード可能および実行可能なプログラム命令、ならびにこれらのプログラムを実行する間に生成されるデータを格納することができる。コンピューティング環境５００の構成および種類により、メモリ５０２は、揮発性（ランダムアクセスメモリ（ＲＡＭ）など）および／または不揮発性（リードオンリメモリ（ＲＯＭ）、フラッシュメモリなど）とすることができる。いくつかの実施形態において、装置はまた、これらに限定されないが、磁気ストレージ、光学ディスク、および／またはテープストレージを含む、追加のリムーバブルストレージ５０６および／または非リムーバブルストレージ５０８を含むことができる。ディスクドライブおよびそれに関連した非一時的コンピュータ読取り可能媒体は、コンピュータ読取り可能命令、データ構造、プログラムモジュール、および装置に対する他のデータの不揮発性ストレージを提供することができる。いくつかの実施形態において、メモリ５０２は、スタティックランダムアクセスメモリ（ＳＲＡＭ）、ダイナミックランダムアクセスメモリ（ＤＲＡＭ）、またはＲＯＭなどの、複数の異なる種類のメモリを含むことができる。
【００５１】
メモリ５０２、リムーバブルストレージ５０６、および非リムーバブルストレージ５０８は、全て、非一時的コンピュータ読込み可能ストレージ媒体の例である。例えば、コンピュータ読取り可能ストレージ媒体は、コンピュータ読取り可能命令、データ構造、プログラムモジュール、または他のデータなどの情報を保管するための任意の方法または技術で実現される、揮発性および不揮発性、リムーバブルおよび非リムーバブル媒体を含むことができる。提示することができるさらなる種類のコンピュータストレージ媒体には、これらに限定するものではないが、プログラマブルランダムアクセスメモリ（ＰＲＡＭ）、ＳＲＡＭ、ＤＲＡＭ、ＲＡＭ、ＲＯＭ、電気的消去可能プログラマブル読出し専用メモリ（ＥＥＰＲＯＭ）、フラッシュメモリもしくは他のメモリ技術、コンパクトディスクリードオンリメモリ（ＣＤ−ＲＯＭ）、デジタル多用途ディスク（ＤＶＤ）もしくは他の光学ストレージ、磁気カセット、磁気テープ、磁気ディスクストレージもしくは他の磁気ストレージデバイス、または所望の情報を格納するために使用することができ、装置によりアクセスすることができる他の任意の媒体を含む。上記のいずれかの組み合わせもまた、コンピュータ読込み可能媒体の範囲内に含まれるべきである。
【００５２】
コンピューティング環境５００はまた、装置が、コンピューティングデバイスと通信することができる装置または機器と通信することを可能にする１つまたは複数の通信接続５１０を含むことができる。接続は、システム内のさまざまな他の装置に、装置、例えば、制御装置を接続するケーブルのための接続部を受け取るためのＵＳＢまたはＣＯＭポートなどの、さまざまなデータ通信チャネルまたはポートを介して確立することができる。システム環境１００内の装置（例えば、システム１２０、保護リレー装置１２２、Ｍ＆Ｄ装置１２４、ＣＰＵ１２６、変圧器１１０、および／または第２のシステム１３０）は、装置が、システム１００内の他の装置と通信することを可能にするＥｔｈｅｒｎｅｔドライバなどの通信ドライバを含むことができる。さまざまな実施形態により、接続５１０は、システム環境１００において、有線接続および／または無線接続を介して確立することができる。コンピューティング環境５００はまた、キーボード、マウス、ペン、音声入力装置、およびタッチ入力装置などの、１つまたは複数の入力装置５１２を含むことができる。ディスプレイ、プリンタ、およびスピーカなどの、１つまたは複数の出力装置５１４を含むこともできる。
【００５３】
しかしながら、他の実施形態において、非一時的コンピュータ読込み可能通信媒体は、一時的および／または非一時的コンピュータ読込み可能命令、プログラムモジュール、または搬送波などのデジタル信号もしくは他の伝達内で送信される他のデータを含んでもよい。しかしながら、本明細書で使用される場合、非一時的コンピュータ読込み可能ストレージ媒体は、非一時的コンピュータ読込み可能通信媒体を含まない。
【００５４】
メモリ５０２のコンテンツに関して、メモリ５０２は、これらに限定されないが、オペレーティングシステム（ＯＳ）５１６および本明細書で開示する機能および態様を実施するための１つまたは複数のアプリケーションプログラムもしくはサービスを含むことができる。そのようなアプリケーションまたはサービスは、データ・モニタリング・モジュール５１８、データ受信モジュール５２０、およびデータ送信モジュール５２２を含むことができる。一実施形態において、モジュール５１８、５２０、および５２２は、構成可能制御ブロック言語で提供され、不揮発性メモリに格納される、ソフトウェアによって実現することができる。
【００５５】
一実施形態において、ＯＳ５１６は、ＱＮＸ（登録商標）リアルタイム、マルチタスクオペレーティングシステムを含むことができる。データ・モニタリング・モジュール５１８は、システム環境１００内のデータ（例えば、保護データ、正常性モニタリングデータ、プリデータ、ポストデータ、履歴データ、イベントデータ、保護データ、および／または正常性モニタリングデータなど）に対して複数の装置をモニタリングすることができる。一実施形態において、システム環境１００内の各装置は、データ・モニタリング・モジュール５１８のためのプログラムを実行する制御装置によってモニタリングすることができる。システム環境１００内の各制御装置はまた、システム環境１００内の同じか、少数か、またはより多い装置からのデータをモニタリングするよう構成することができ、各制御装置は、各装置からのデータを受信することができる。装置に加え、データ・モニタリング・モジュール５１８はまた、制御装置または他のコンピューティングデバイス（例えば、第２のシステム１３０）などの、他の装置からのデータをモニタリングすることができる。
【００５６】
本明細書におけるある実施形態は、安全度水準（ＳＩＬ）に対して構成してもよいし、構成しなくてもよい、装置の間の通信に関する。本明細書で使用される場合、ＳＩＬは、システム環境１００内の装置の性能と関連付けられたリスク低減のターゲットレベルに関することができる。一実施形態において、ＳＩＬ装置および非ＳＩＬ装置の両方を、制御装置によってモニタリングすることができる。例えば、ＳＩＬのために構成されていない可能性がある制御装置は、ＳＩＬのために構成されているか、またはＳＩＬのために構成されていない可能性のある装置からのデータを受信することができる。
【００５７】
データ受信モジュール５２０は、装置からデータを受信することができる。一実施形態において、データ受信モジュール５２０を実行する制御装置は、制御装置でデータ・モニタリング・モジュール５１８によってモニタリングされていたデータを受信することができる。データは、例えば、ＴＣＰ／ＩＰ、ＵＤＰ／ＩＰ、および／または任意のシリアルプロトコルを介して、システム環境１００全体を通じて適切に伝達するために符号化することができる、さまざまなデータ、テキスト、信号、または他の情報を含むことができる。データは、１０ミリ秒、２０ミリ秒、または３０ミリ秒ごとを含む、さまざまな所定のレートで受信することができる。装置は、所定のレートでデータを送信するよう構成することができ、全てのデータは、制御装置に同時に送信することができる。データは、さまざまな種類の情報を含むことができる。一例において、情報は、アセットに対するモニタリングデータを含むことができる。この例の一態様において、モニタリングデータは、変圧器などの、アセットと関連付けられたセンサから受信することができる。データは、本明細書におけるある実施形態に従って、マルチキャストまたはユニキャストを介して受信することができる。
【００５８】
データ送信モジュール５２２は、制御装置、またはデータ送信モジュール５２２を実行する他の装置から、装置に出力データを送信することができる。データ送信モジュール５２２は、制御装置に、出力信号を、システム環境１００内の装置のサブセット、または特定の装置だけに送信させることを可能にすることができる。例えば、ある制御装置は、出力データを、装置のあるサブセットに送信することができ、一方、別の制御装置は、出力データ、例えば、同じ出力データを、装置の別のサブセットに送信することができる。このようにして、全ての装置が、上記の例において、たとえ異なる制御装置からでも、出力データを受信することができる。一実施形態によれば、装置は、特定の制御装置、例えば、リッスンするために構成された制御装置のみから、出力データを受信することができる。さらに、データ送信モジュール５２２は、出力データを、他の制御装置またはコンピューティングデバイスに送信することができる。一実施形態において、装置から受信されるデータは、例えば、出力データとして、制御装置から、そのような他の制御装置またはコンピューティングデバイスに送信することができる。一実施形態において、出力データは、マルチキャストまたはユニキャストを介して送信することができ、これらに限定されないが、例えば、ＴＣＰ／ＩＰおよび／またはＵＤＰ／ＩＰプロトコルを介して、システム環境１００内で適切な伝達を行うために符号化することができる、さまざまなデータ、テキスト、信号、または他の情報を含むことができる。
【００５９】
コンピュータ実行可能プログラム命令は、特定用途向けコンピュータもしくは他の特定の機械、プロセッサ、または他のプログラム可能データ処理装置にロードされ、特性の機械を生成することができ、コンピュータ、プロセッサ、または他のプログラム可能データ処理装置で命令を実行することにより、フローダイアグラムにおいて示される１つまたは複数の機能または動作を実行する。これらのコンピュータプログラム命令はまた、実行時に、コンピュータまたは他のプログラム可能データ処理装置を特定の方法で機能するよう指示することができる、コンピュータ読込み可能ストレージ媒体に格納することができ、コンピュータ読込み可能ストレージ媒体に格納された命令は、フローダイアグラムで示された１つまたは複数の機能または動作を実施する命令手段を含む工業製品を生成する。コンピュータプログラム命令はまた、コンピュータまたは他のプログラム可能データ処理装置にロードされ、コンピュータまたは他のプログラム可能装置で実行される一連の動作要素またはステップにより、コンピュータ実施処理を生成させることができる。
【００６０】
本明細書で説明する装置のいずれかで提示することができるさらなる種類のＣＲＳＭには、これらに限定するものではないが、プログラマブルランダムアクセスメモリ（ＰＲＡＭ）、ＳＲＡＭ、ＤＲＡＭ、ＲＡＭ、ＲＯＭ、電気的消去可能プログラマブルリードオンリメモリ（ＥＥＰＲＯＭ）、フラッシュメモリもしくは他のメモリ技術、コンパクトディスクリードオンリメモリ（ＣＤ−ＲＯＭ）、デジタル多用途ディスク（ＤＶＤ）もしくは他の光学ストレージ、磁気カセット、磁気テープ、磁気ディスクストレージもしくは他の磁気ストレージデバイス、または情報を格納するために使用することができ、アクセスすることができる他の任意の媒体を含むことができる。上記のいずれの組み合わせも、ＣＲＳＭの範囲に含まれる。あるいは、コンピュータ読込み可能通信媒体（ＣＲＣＭ）は、コンピュータ読込み可能命令、プログラムモジュール、または搬送波などのデジタル信号もしくは他の伝達内で送信される他のデータを含んでもよい。しかしながら、本明細書で使用される場合、ＣＲＳＭは、ＣＲＣＭを含まない。
【００６１】
いくつかの実施形態において、変圧器の保護データと正常性モニタリングデータとを関連付けるためのシステムが提供される。本システムは、変圧器に通信可能に結合される少なくとも１つの保護リレー装置と、変圧器および少なくとも１つの保護リレー装置に通信可能に結合される少なくとも１つのＭ＆Ｄ装置と、少なくとも１つの保護リレー装置および少なくとも１つのＭ＆Ｄ装置に通信可能に結合される少なくとも１つのプロセッサとを含み、少なくとも１つの保護リレー装置から変圧器の保護データを受信し、少なくとも１つのＭ＆Ｄ装置から変圧器の正常性モニタリングデータを受信し、受信した保護データおよび受信した正常性モニタリングデータを解析し、受信した保護データおよび受信した正常性モニタリングデータの解析に少なくとも部分的に基づいて変圧器の故障を予測し、変圧器の故障の予測に応答して変圧器の動作を修正するための命令を生成するよう構成される。
【００６２】
いくつかの実施形態において、少なくとも１つのプロセッサは、データベースから変圧器の履歴データを検索し、受信した保護データの少なくとも一部および受信した正常性モニタリングデータの少なくとも一部を履歴データと比較し、受信した保護データの少なくとも一部および受信した正常性モニタリングデータの少なくとも一部の履歴データとの比較に少なくとも部分的に基づいて、受信した保護データの少なくとも一部および受信した正常性モニタリングデータの少なくとも一部と履歴データとの間の少なくとも部分的な一致を判断するようさらに構成され、受信した保護データの少なくとも一部および受信した正常性モニタリングデータの少なくとも一部は、変圧器の以前の故障を示す履歴データの一部と一致し、少なくとも１つのプロセッサはさらに、受信した保護データの少なくとも一部および受信した正常性モニタリングデータの少なくとも一部と履歴データとの間の一致の判断に基づいて、変圧器の故障を識別するようさらに構成される。
【００６３】
いくつかの実施形態において、少なくとも１つのプロセッサは、保護データの受信時に受信した保護データにタイムスタンプ付けし、正常性モニタリングデータの受信時に受信した正常性モニタリングデータにタイムスタンプ付けし、受信した保護データのタイムスタンプと受信した正常性モニタリングデータのタイムスタンプとを比較し、受信した保護データのタイムスタンプと受信した正常性モニタリングデータのタイムスタンプとの比較に基づいて保護データの受信と正常性モニタリングデータの受信との間の推定される現在のタイムラグを判断し、保護データの受信および正常性モニタリングデータの受信との間の推定される現在のタイムラグと等しい時間のオフセットを、受信した保護データおよび正常性モニタリングデータの少なくとも一方のタイムスタンプに割り当て、同じ時点でサンプリングされた保護データおよび正常性モニタリングデータに共通のタイムスタンプを割り当てるようにさらに構成される。
【００６４】
いくつかの実施形態において、少なくとも１つのプロセッサは、受信した保護データおよび受信した正常性モニタリングデータの解析に基づいて変圧器に対して次に要求されるメンテナンスを予測し、カレンダに変圧器に対して次に要求されるメンテナンスをスケジュールし、予測された次に要求されるメンテナンスに基づいてメンテナンスのためのカレンダリクエストを生成し、カレンダリクエストを第２のシステムに送信するようさらに構成される。
【００６５】
いくつかの実施形態において、少なくとも１つのプロセッサは、受信した保護データおよび受信した正常性モニタリングデータの解析に少なくとも部分的に基づいて、変圧器が規制基準の少なくとも１つのセットにもはや準拠していないことを判断するようさらに構成される。
【００６６】
いくつかの実施形態において、プロセッサは、変圧器の故障の予測に応答して、変圧器の動作を停止するようさらに構成される。
【００６７】
いくつかの実施形態において、少なくとも１つのプロセッサは、受信した保護データと受信した正常性モニタリングデータとを関連付けるようさらに構成される。
【００６８】
いくつかの実施形態において、少なくとも１つのプロセッサは、受信した保護データおよび受信した正常性モニタリングデータの解析に基づいて、変圧器の少なくとも１つの構成要素の耐用年数を計算するようさらに構成される。
【００６９】
いくつかの実施形態において、少なくとも１つのプロセッサは、受信した保護データおよび受信した正常性モニタリングデータの解析に少なくとも部分的に基づいて、変圧器の予測された故障の原因および種類を予測するようさらに構成される。
【００７０】
いくつかの実施形態において、少なくとも１つのプロセッサは、受信した保護データおよび受信した正常性モニタリングデータを共通フォーマットにフォーマットするようさらに構成される。
【００７１】
いくつかの実施形態において、変圧器の保護データと溶存ガス分析（ＤＧＡ）データとを関連付けるための方法が提供される。本方法は、コンピューティング・デバイス・プロセッサによって、変圧器に通信可能に結合される少なくとも１つの保護リレー装置ならびに変圧器および少なくとも１つの保護リレー装置に通信可能に結合される少なくとも１つのＭ＆Ｄ装置から変圧器の保護データを受信するステップと、コンピューティング・デバイス・プロセッサによって、少なくとも１つのＭ＆Ｄ装置から変圧器の正常性モニタリングデータを受信するステップと、コンピューティング・デバイス・プロセッサによって、受信した保護データおよび受信した正常性モニタリングデータを解析するステップと、コンピューティング・デバイス・プロセッサによって、受信した保護データおよび受信した正常性モニタリングデータの解析に少なくとも部分的に基づいて変圧器の故障を予測するステップと、コンピューティング・デバイス・プロセッサによって、変圧器の故障の予測に応答して変圧器の動作を修正するための命令を生成するステップとを含む。
【００７２】
いくつかの実施形態において、本方法は、コンピューティング・デバイス・プロセッサによって、データベースから変圧器の履歴データを検索するステップと、コンピューティング・デバイス・プロセッサによって、受信した保護データの少なくとも一部および受信した正常性モニタリングデータの少なくとも一部を履歴データと比較するステップと、コンピューティング・デバイス・プロセッサによって、受信した保護データの少なくとも一部および受信した正常性モニタリングデータの少なくとも一部の履歴データとの比較に少なくとも部分的に基づいて、受信した保護データの少なくとも一部および受信した正常性モニタリングデータの少なくとも一部と履歴データとの間の少なくとも部分的な一致を判断するステップであって、受信した保護データの少なくとも一部および受信した正常性モニタリングデータの少なくとも一部は、変圧器の以前の故障を示す履歴データの一部と一致するステップと、コンピューティング・デバイス・プロセッサによって、受信した保護データの少なくとも一部および受信した正常性モニタリングデータの少なくとも一部と履歴データとの間の一致の判断に基づいて、変圧器の故障を識別するステップをさらに含む。
【００７３】
いくつかの実施形態において、本方法は、コンピューティング・デバイス・プロセッサによって、保護データの受信時に受信した保護データにタイムスタンプ付けするステップと、コンピューティング・デバイス・プロセッサによって、正常性モニタリングデータの受信時に受信した正常性モニタリングデータにタイムスタンプ付けするステップと、コンピューティング・デバイス・プロセッサによって、受信した保護データのタイムスタンプと受信した正常性モニタリングデータのタイムスタンプとを比較するステップと、コンピューティング・デバイス・プロセッサによって、受信した保護データのタイムスタンプと受信した正常性モニタリングデータのタイムスタンプとの比較に基づいて保護データの受信と正常性モニタリングデータの受信との間の推定される現在のタイムラグを判断するステップと、コンピューティング・デバイス・プロセッサによって、保護データの受信および正常性モニタリングデータの受信との間の推定される現在のタイムラグと等しい時間のオフセットを受信した保護データおよび正常性モニタリングデータの少なくとも一方のタイムスタンプに割り当て、同じ時点でサンプリングされた保護データおよび正常性モニタリングデータに共通のタイムスタンプを割り当てるステップと、少なくとも１つの保護リレー装置および少なくとも１つのＭ＆Ｄ装置を共通の全地球測位システム（ＧＰＳ）時間ソースに時間同期するステップとをさらに含む。
【００７４】
いくつかの実施形態において、本方法は、コンピューティング・デバイス・プロセッサによって、受信した保護データおよび受信した正常性モニタリングデータの解析に基づいて変圧器に対して次に要求されるメンテナンスを予測するステップと、コンピューティング・デバイス・プロセッサによって、変圧器に対して次に要求されるメンテナンスをカレンダにスケジュールするステップと、コンピューティング・デバイス・プロセッサによって、予測された次に要求されるメンテナンスに基づいてメンテナンスのためのカレンダリクエストを生成するステップと、コンピューティング・デバイス・プロセッサによって、カレンダリクエストを第２のシステムに送信するステップとをさらに含む。
【００７５】
いくつかの実施形態において、本方法は、コンピューティング・デバイス・プロセッサによって、ならびに受信した保護データおよび受信した正常性モニタリングデータの解析に少なくとも部分的に基づいて、変圧器が規制基準の少なくとも１つのセットにもはや準拠していないことを判断するステップをさらに含む。
【００７６】
いくつかの実施形態において、本方法は、コンピューティング・デバイス・プロセッサによって、変圧器の故障の予測に応答して、変圧器の動作を停止するステップをさらに含む。
【００７７】
いくつかの実施形態において、本方法は、コンピューティング・デバイス・プロセッサによって、受信した保護データおよび受信した正常性モニタリングデータを関連付けるステップをさらに含む。
【００７８】
いくつかの実施形態において、本方法は、コンピューティング・デバイス・プロセッサによって、受信した保護データおよび受信した正常性モニタリングデータの解析に基づいて、変圧器の少なくとも１つの構成要素の耐用年数を計算するステップをさらに含む。
【００７９】
いくつかの実施形態において、本方法は、コンピューティング・デバイス・プロセッサによって、受信した保護データおよび受信した正常性モニタリングデータの解析に少なくとも部分的に基づいて、変圧器の予測された故障の原因および種類を予測するステップをさらに含む。
【００８０】
いくつかの実施形態において、変圧器の保護データと溶存ガス分析（ＤＧＡ）データとを関連付けるためのシステムが提供される。本システムは、配電網の変圧器と、変圧器に通信可能に結合される少なくとも１つの保護リレー装置と、変圧器および少なくとも１つの保護リレー装置に通信可能に結合される少なくとも１つのＭ＆Ｄ装置と、少なくとも１つの保護リレー装置および少なくとも１つのＭ＆Ｄ装置に通信可能に結合される少なくとも１つのプロセッサとを含み、少なくとも１つの保護リレー装置から変圧器の保護データを受信し、少なくとも１つのＭ＆Ｄ装置から変圧器の正常性モニタリングデータを受信し、受信した保護データおよび受信した正常性モニタリングデータを解析し、受信した保護データおよび受信した正常性モニタリングデータの解析に少なくとも部分的に基づいて変圧器の故障を予測し、変圧器の故障の予測に応答して変圧器の動作を修正するための命令を生成するよう構成される。
【００８１】
いくつかの実施形態において、変圧器の保護データと溶存ガス分析（ＤＧＡ）データとを記録するためのシステムが提供される。本システムは、変圧器に通信可能に結合される少なくとも１つの保護リレー装置と、変圧器および少なくとも１つの保護リレー装置に通信可能に結合される少なくとも１つのＭ＆Ｄ装置と、少なくとも１つの保護リレー装置および少なくとも１つのＭ＆Ｄ装置に通信可能に結合される少なくとも１つのプロセッサとを含み、少なくとも１つの保護リレー装置からイベントデータを受信し、少なくとも１つの保護リレー装置から変圧器の保護データを受信し、少なくとも１つのＭ＆Ｄ装置から変圧器の正常性モニタリングデータを受信し、受信した保護データ、受信した正常性モニタリングデータ、および受信したイベントデータに少なくとも部分的に基づく、変圧器と関連付けられたレコードを生成し、レコードに少なくとも部分的に基づいて、ユーザインターフェース、レポート、または電子通信の少なくとも１つでレコードと関連付けられたデータの一部を出力するよう構成される。
【００８２】
いくつかの実施形態において、少なくとも１つのプロセッサは、保護リレー装置を使用して所定のレートで変圧器の保護データをサンプリングおよびタイムスタンプ付けし、保護リレー装置から変圧器の保護データを受信し、受信した保護データの解析に少なくとも部分的に基づいて変圧器にイベントが発生したことを判断するようさらに構成される。
【００８３】
いくつかの実施形態において、少なくとも１つのプロセッサは、イベント中に、変圧器が曝されるまたは受けるストレスの量を判断するようさらに構成される。
【００８４】
いくつかの実施形態において、少なくとも１つのプロセッサは、受信した保護データおよび受信した正常性モニタリングデータの解析に少なくとも部分的に基づいて変圧器のレコードを生成する完了時間を推定し、受信した保護データおよび受信した正常性モニタリングデータの第２の解析に少なくとも部分的に基づいて変圧器の第２のレコードを生成するための時間をスケジュールするようさらに構成される。
【００８５】
いくつかの実施形態において、少なくとも１つのプロセッサは、受信した保護データおよび受信した正常性モニタリングデータの少なくとも一方に含まれる１つまたは複数の変圧器パラメータの最大値を識別し、識別された最大値を、識別された最大値のパラメータ型として同一のパラメータ型のパラメータの格納された最大値と比較するようさらに構成され、格納された最大値は、メモリに格納された変圧器の履歴保護データおよび履歴正常性モニタリングデータの少なくとも一方に含まれ、少なくとも１つのプロセッサはさらに、識別された最大値が格納された最大値より大きいことを判断し、メモリ内の履歴保護データおよび履歴正常性モニタリングデータの少なくとも一方内の識別された最大値で、格納された最大値を上書きすることによって、履歴保護データおよび履歴正常性モニタリングデータの少なくとも一方を更新するようさらに構成される。
【００８６】
いくつかの実施形態において、少なくとも１つのプロセッサは、受信した保護データおよび受信した正常性モニタリングデータの少なくとも一部をメモリに格納するようさらに構成され、受信した保護データおよび受信した正常性モニタリングデータの少なくとも一部がコンピューティングデバイスの分散ネットワークを介して利用者にアクセス可能であり、少なくとも１つのプロセッサはさらに、受信した保護データおよび受信した正常性モニタリングデータの解析に少なくとも部分的に基づいて受信した保護データおよび受信した正常性モニタリングデータの少なくとも一部を使用してレポートを生成するようさらに構成され、レポートは、変圧器の状態と、イベントの発生の予測と、イベントの発生の予測に少なくとも部分的に基づいて変圧器を維持するための少なくとも１つの提案とを含み、少なくとも１つのプロセッサはさらに、利用者に提示するために第２のシステムにレポートを送信するようさらに構成される。
【００８７】
いくつかの実施形態において、少なくとも１つのプロセッサは、保護データを受信したことに応答して変圧器の正常性モニタリングデータをサンプリングするよう少なくとも１つのＭ＆Ｄ装置をスケジュールし、少なくとも１つのＭ＆Ｄ装置の状態がスタンバイ状態ではないことを判断し、少なくとも１つのＭ＆Ｄ装置を使用して所定のレートで変圧器の正常性モニタリングデータをサンプリングするようさらに構成される。
【００８８】
いくつかの実施形態において、少なくとも１つのプロセッサは、少なくとも１つのＭ＆Ｄ装置の動作の状態を判断し、少なくとも１つのＭ＆Ｄ装置の動作の状態がアイドル状態ではないという判断に応答して少なくとも１つのＭ＆Ｄ装置に対するＤＧＡ測定をスケジュールし、少なくとも１つのＭ＆Ｄ装置の動作の状態がアイドル状態であるという判断に応答して少なくとも１つのＭ＆Ｄ装置に対するＤＧＡ測定を開始するようさらに構成される。
【００８９】
いくつかの実施形態において、少なくとも１つのプロセッサは、メモリ領域から履歴データを検索するようさらに構成され、履歴データは、プリデータおよびポストデータを含み、プリデータは、判断されたイベントを優先するタイムスタンプを含み、ポストデータは、判断されたイベントが発生するタイムスタンプを含む。
【００９０】
いくつかの実施形態において、少なくとも１つのプロセッサは、受信した保護データ、受信した正常性モニタリングデータ、および受信したイベントデータに少なくとも部分的に基づいて、変圧器の挙動の１つまたは複数の傾向を識別するようさらに構成される。
【００９１】
いくつかの実施形態において、変圧器の保護データと溶存ガス分析（ＤＧＡ）データとを記録するための方法が提供される。本方法は、コンピューティング・デバイス・プロセッサによって、変圧器に通信可能に結合される少なくとも１つの保護リレー装置ならびに変圧器および少なくとも１つの保護リレー装置に通信可能に結合される少なくとも１つのＭ＆Ｄ装置からイベントデータを受信するステップと、コンピューティング・デバイス・プロセッサによって、少なくとも１つの保護リレー装置から変圧器の保護データを受信するステップと、コンピューティング・デバイス・プロセッサによって、少なくとも１つのＭ＆Ｄ装置から変圧器の正常性モニタリングデータを受信するステップと、コンピューティング・デバイス・プロセッサによって、変圧器と関連付けられたレコードを生成するステップであって、レコードが、受信した保護データ、受信した正常性モニタリングデータ、および受信したイベントデータに少なくとも部分的に基づくステップと、コンピューティング・デバイス・プロセッサによって、およびレコードの少なくとも一部に基づいて、ユーザインターフェース、レポート、または電子通信の少なくとも１つでレコードと関連付けられたデータの一部を出力するステップとを含む。
【００９２】
いくつかの実施形態において、本方法は、コンピューティング・デバイス・プロセッサによって、保護リレー装置を使用して所定のレートで変圧器の保護データをサンプリングおよびタイムスタンプ付けするステップと、コンピューティング・デバイス・プロセッサによって、保護リレー装置から変圧器の保護データを受信するステップと、受信した保護データの解析に少なくとも部分的に基づいて変圧器にイベントが発生したことを判断するステップとをさらに含む。
【００９３】
いくつかの実施形態において、本方法は、コンピューティング・デバイス・プロセッサによって、イベント中に、変圧器が曝されるまたは受けるストレスの量を判断するステップをさらに含む。
【００９４】
いくつかの実施形態において、本方法は、コンピューティング・デバイス・プロセッサによって、受信した保護データおよび受信した正常性モニタリングデータの解析に少なくとも部分的に基づいて変圧器のレコードを生成する完了時間を推定するステップと、コンピューティング・デバイス・プロセッサによって、受信した保護データおよび受信した正常性モニタリングデータの第２の解析に少なくとも部分的に基づいて変圧器の第２のレコードを生成するための時間をスケジュールするステップとをさらに含む。
【００９５】
いくつかの実施形態において、本方法は、コンピューティング・デバイス・プロセッサによって、受信した保護データおよび受信した正常性モニタリングデータの少なくとも一方に含まれる１つまたは複数の変圧器パラメータの最大値を識別するステップと、コンピューティング・デバイス・プロセッサによって、識別された最大値を、識別された最大値のパラメータ型として同一のパラメータ型のパラメータの格納された最大値と比較するステップであって、格納された最大値が、メモリに格納された変圧器の履歴保護データおよび履歴正常性モニタリングデータの少なくとも一方に含まれるステップと、コンピューティング・デバイス・プロセッサによって、識別された最大値が格納された最大値より大きいことを判断するステップと、コンピューティング・デバイス・プロセッサによって、メモリ内の履歴保護データおよび履歴正常性モニタリングデータの少なくとも一方内の識別された最大値で、格納された最大値を上書きすることによって、履歴保護データおよび履歴正常性モニタリングデータの少なくとも一方を更新するステップとをさらに含む。
【００９６】
いくつかの実施形態において、本方法は、コンピューティング・デバイス・プロセッサによって、受信した保護データおよび受信した正常性モニタリングデータの少なくとも一部をメモリに格納するステップであって、受信した保護データおよび受信した正常性モニタリングデータの少なくとも一部がコンピューティングデバイスの分散ネットワークを介して利用者にアクセス可能であるステップと、コンピューティング・デバイス・プロセッサによって、受信した保護データおよび受信した正常性モニタリングデータの解析に少なくとも部分的に基づいて受信した保護データおよび受信した正常性モニタリングデータの少なくとも一部を使用してレポートを生成するステップであって、レポートが、変圧器の状態と、イベントの発生の予測と、イベントの発生の予測に少なくとも部分的に基づいて変圧器を維持するための少なくとも１つの提案とを含むステップと、コンピューティング・デバイス・プロセッサによって、利用者に提示するために第２のシステムにレポートを送信するステップとをさらに含む。
【００９７】
いくつかの実施形態において、本方法は、コンピューティング・デバイス・プロセッサによって、保護データを受信したことに応答して変圧器の正常性モニタリングデータをサンプリングするよう少なくとも１つのＭ＆Ｄ装置をスケジュールするステップと、コンピューティング・デバイス・プロセッサによって、少なくとも１つのＭ＆Ｄ装置の状態がスタンバイ状態ではないことを判断するステップと、コンピューティング・デバイス・プロセッサによって、少なくとも１つのＭ＆Ｄ装置を使用して所定のレートで変圧器の正常性モニタリングデータをサンプリングするステップとをさらに含む。
【００９８】
いくつかの実施形態において、本方法は、コンピューティング・デバイス・プロセッサによって、少なくとも１つのＭ＆Ｄ装置の動作の状態を判断するステップと、コンピューティング・デバイス・プロセッサによって、少なくとも１つのＭ＆Ｄ装置の動作の状態がアイドル状態ではないという判断に応答して少なくとも１つのＭ＆Ｄ装置に対するＤＧＡ測定をスケジュールするステップと、コンピューティング・デバイス・プロセッサによって、少なくとも１つのＭ＆Ｄ装置の動作の状態がアイドル状態であるという判断に応答して少なくとも１つのＭ＆Ｄ装置に対するＤＧＡ測定を開始するステップとをさらに含む。
【００９９】
いくつかの実施形態において、本方法は、コンピューティング・デバイス・プロセッサによって、メモリ領域から履歴データを検索するステップをさらに含み、履歴データは、プリデータおよびポストデータを含み、プリデータは、判断されたイベントを優先するタイムスタンプを含み、ポストデータは、判断されたイベントが発生するタイムスタンプを含む。
【０１００】
いくつかの実施形態において、変圧器の保護データと溶存ガス分析（ＤＧＡ）データとを記録するためのシステムが含まれる。本システムは、配電グリッドの変圧器と、変圧器に通信可能に結合される少なくとも１つの保護リレー装置と、変圧器および少なくとも１つの保護リレー装置に通信可能に結合される少なくとも１つのＭ＆Ｄ装置と、少なくとも１つの保護リレー装置および少なくとも１つのＭ＆Ｄ装置に通信可能に結合される少なくとも１つのプロセッサとを含み、少なくとも１つの保護リレー装置からイベントデータを受信し、少なくとも１つの保護リレー装置から変圧器の保護データを受信し、少なくとも１つのＭ＆Ｄ装置から変圧器の正常性モニタリングデータを受信し、受信した保護データ、受信した正常性モニタリングデータ、および受信したイベントデータに少なくとも部分的に基づく、変圧器と関連付けられたレコードを生成し、レコードに少なくとも部分的に基づいて、ユーザインターフェース、レポート、または電子通信の少なくとも１つでレコードと関連付けられたデータの一部を出力するよう構成される。
【０１０１】
いくつかの実施形態において、変圧器は、ジェネレータ、モータ、タービン、静電機械もしくは回転機、およびエンジンの少なくとも１つを含むことができる。
【０１０２】
いくつかの実施形態において、正常性モニタリングデータを受信するステップは、少なくとも１つのＭ＆Ｄ装置の状態がスタンバイ状態であるかどうかを判断するステップを備え、少なくとも１つのＭ＆Ｄ装置の状態がスタンバイ状態であると判断された場合、正常性モニタリングデータのサンプリングをすぐに開始し、少なくとも１つのＭ＆Ｄ装置の状態がスタンバイ状態ではないと判断された場合、次の利用可能な時間の間に変圧器の正常性モニタリングデータのサンプリングをスケジュールする。
【０１０３】
いくつかの実施形態において、本システムのプロセッサは、第１のタイムスタンプで少なくとも１つの保護リレー装置からイベントデータを受信し、第２のタイムスタンプで少なくとも１つの保護リレー装置から変圧器の保護データを受信し、イベントデータおよび保護データに少なくとも部分的に基づいてイベントが変圧器に発生したかを判断し、イベントが変圧器に発生したという判断に応答して第３のタイムスタンプで少なくとも１つのＭ＆Ｄ装置から変圧器の正常性モニタリングデータを受信し、第１のタイムスタンプ、第２のタイムスタンプ、および第３のタイムスタンプの少なくとも２つの間のオフセットを計算し、オフセットを使用して第１のタイムスタンプ、第２のタイムスタンプ、および第３のタイムスタンプの少なくとも１つを修正して、それにより、少なくとも１つの修正されたタイムスタンプを取得し、イベントデータ、保護データ、および正常性モニタリングデータの少なくとも一部を使用して、少なくとも１つの修正されたタイムスタンプを備えるイベントのレコードを生成し、変圧器が動作している間に少なくとも１つのディスプレイに出力するためにイベントデータに対するレコードにアクセスするよう構成される。
【０１０４】
いくつかの実施形態において、少なくとも１つのプロセッサは、少なくとも１つの保護リレー装置から変圧器の保護データを受信し、受信した保護データの解析に少なくとも部分的に基づいてイベントが変圧器に発生したことを判断し、少なくとも１つのＭ＆Ｄ装置から変圧器の正常性モニタリングデータを受信するようさらに構成され、正常性モニタリングデータを受信することは、正常性モニタリングデータの最終読み込みまたは利用可能な履歴正常性モニタリングデータの少なくとも一方を正常性モニタリングプリデータとして受信すること、およびイベントの検出後に収集された正常性モニタリングデータの１つまたは複数のサンプルまたは利用可能な履歴正常性モニタリングデータを正常性モニタリングポストデータとして受信することを備え、少なくとも１つのプロセッサはさらに、受信した保護データおよび受信した正常性モニタリングデータを解析し、欠陥レポート、通電レコード、学習済みデータレコード、履歴最大レコード、正常性レポート、またはフリートレポートの少なくとも１つを生成するようさらに構成される。
【０１０５】
いくつかの実施形態において、少なくとも１つのプロセッサは、少なくとも１つの保護リレー装置からイベントデータを受信し、少なくとも１つの保護リレー装置から変圧器の保護データを受信し、少なくとも１つのＭ＆Ｄ装置から変圧器の正常性モニタリングデータを受信し、受信した保護データ、受信した正常性モニタリングデータ、および受信したイベントデータに少なくとも部分的に基づく、変圧器と関連付けられたレコードを生成し、レコードに少なくとも部分的に基づいて、ユーザインターフェース、レポート、または電子通信の少なくとも１つでレコードと関連付けられたデータの一部を出力するようさらに構成される。
【０１０６】
本開示のある実施形態について、現在最も実用的でさまざまな実施形態であると考えられるものに関して説明してきたが、本開示は開示される実施形態に限定されるものではなく、逆に、添付の特許請求の範囲内に含まれるさまざまな変形例および同等構成をカバーすることを意図することを理解すべきである。本明細書では特定の用語を使用したが、それらは、一般的で、説明的な意味のみで使用し、限定するためのものではない。
【０１０７】
本明細書では、本開示のある実施形態を開示し、当業者が本開示のある実施形態を実施することを可能にするための例示を使用しており、これらに限定されないが、任意の装置またはシステムの生成および使用ならびに任意の組込み方法の実行を含む。本開示のある実施形態の特許可能な範囲は、特許請求の範囲によって定義され、当業者が想到するその他の実施例を含むことができる。このような他の実施例は、特許請求の範囲の文言との差がない構造要素を有する場合、または特許請求の範囲の文言との実質的な差がない等価の構造要素を含む場合、特許請求の範囲内にある。
【符号の説明】
【０１０８】
１００  システム環境
１１０  変圧器
１２０  システム
１２２  保護リレー
１２４  Ｍ＆Ｄ装置
１２６  コンピューティングデバイス（ＣＰＵ）
１３０  第２のシステム
２００  例示的処理フローダイアグラム
２０２  ブロック
２０４  ブロック
２０６  ブロック
２０８  ブロック
２１０  ブロック
２１２  ブロック
２１４  ブロック
３００  例示的方法
３０２  ブロック
３０４  ブロック
３０６  ブロック
３０８  ブロック
３１０  ブロック
３１２  決定ブロック
３１４  ブロック
３１６  ブロック
３１８  ブロック
４００  例示的方法
４０２  ブロック
４０４  ブロック
４０６  ブロック
４０８  ブロック
４１０  ブロック
５００  コンピューティング環境
５０２  メモリ
５０４  プロセッサ
５０６  リムーバブルストレージ
５０８  非リムーバブルストレージ
５１０  通信接続
５１２  入力装置
５１４  出力装置
５１６  オペレーティングシステム（ＯＳ）
５１８  データ・モニタリング・モジュール
５２０  データ受信モジュール
５２２  データ送信モジュール
【図１】
2016226265.tif 000003
【図２】
2016226265.tif 000004
【図３】
2016226265.tif 000005
【図４】
2016226265.tif 000006
【図５】
2016226265.tif 000007
【外国語明細書】
2016226265000001.pdf